(57)【要約】 【課題】本発明は、アンダーシャツとパンツの二点で気になる部分を補正して理想的な体型にするとともに体幹の矯正もすることができ、従来のような装着時の違和感や補整下着による膨らみを解消した補整下着を提供する。【解決手段】本発明は、上記課題を解決するため、補整下着において、部分的にベルト状の収縮布を複数枚重ねて縫製したパンツと、部分的にベルト状の収縮布を複数枚重ねて縫製し、前記パンツの上から股下で着脱可能なアンダーシャツとからなることを特徴とする補整下着の構成とした。【選択図】  図１
2011241498.tif 000002
【特許請求の範囲】
【請求項１】
補整下着において、
部分的にベルト状の収縮布を複数枚重ねて縫製したパンツと、部分的にベルト状の収縮布を複数枚重ねて縫製し、前記パンツの上から股下で着脱可能なアンダーシャツとからなることを特徴とする補整下着。
【請求項２】
前記パンツを、
下腹部周り、正面股関節付近から外腿を通り股下の裏ももまで、股下の裏腿から外腿下部を通り太腿正面下部まで、太腿正面下部から股下の内腿まで、の位置に当たるように伸縮布を縫製して部分的に収縮性を高めたパンツとしたことを特徴とする請求項１項に記載の補整下着。
【請求項３】
前記アンダーシャツを、
鎖骨から肩及び肩胛骨を通り反対側の脇腹まで、胸から下腹部まで、腹部から腰まで、腰下から臀部下まで、の位置に当たるように伸縮布を縫製して部分的に収縮性を高めたアンダーシャツとしたことを特徴とする請求項１または請求項２に記載の補整下着。
【請求項４】
前記パンツを、
正面股関節付近から腰下及び外腿まで、尾てい骨の周囲を除いた腰から裏腿まで、の位置に当たるように伸縮布を縫製して部分的に収縮性を高めたパンツとしたことを特徴とする請求項１項に記載の補整下着。
【請求項５】
前記アンダーシャツを、
鎖骨から肩を通り肩胛骨まで、胸部、腹部及び下腹部を除いた脇の下から脇腹まで、肩胛骨の周囲及び尾てい骨の周囲を除いた脇の下から腰及び裏腿まで、の位置に当たるように伸縮布を縫製して部分的に収縮性を高めたアンダーシャツとしたことを特徴とする請求項１または請求項４のいずれかに記載の補整下着。
【発明の詳細な説明】
【技術分野】
【０００１】
本発明は、補整下着に関する。
【背景技術】
【０００２】
従来、補整下着は女性用のものが多く、しかも部分的な補整下着であり、体の様々な部分を補正するには、それぞれ買い揃えて該当部分に装着するものであった。
【０００３】
しかしながら、従来の各補整下着は体の各部を個々に補正することを目的としているため、他の補整下着との共用が難しく、共用できたとしても違和感を伴ったり、補整下着同士の重なり部分が膨れてしまうことがあった。
【０００４】
また、上記のような違和感や重なり部分の膨らみを解消するためにセットとなったものが販売されているが、とても高価で気軽に購入し、使用できるものではなかった。
【０００５】
また、近年では男性用の補整下着も増え始めたが、男性用については特にウエスト周りやヒップラインに特化したものが多く、少なからず存在する体全体の補正下着は高価で気軽に使用できるものではなかった。
【０００６】
更に、いずれの補整下着においても局所的に補正をするため、近年注目されるメタボリックシンドロームの原因の一つである体幹のズレを矯正することはできず、体幹の矯正を目的とするものは高額であった。
【０００７】
加えて、従来の補整下着は補正による負荷がかかる部分が集中しているため伸びてしまって補正効果が落ちてしまうものや、縫合部分が破損することが多く、その都度買い換えなければならなかった。
【先行技術文献】
【特許文献】
【０００８】
【特許文献１】特開２００１−１２３３０２号公報
【発明の概要】
【発明が解決しようとする課題】
【０００９】
そこで、本発明は、アンダーシャツとパンツの二点で気になる部分を補正して理想的な体型にするとともに体幹の矯正もすることができ、従来のような装着時の違和感や補整下着による膨らみを解消した補整下着を提供する。
【課題を解決するための手段】
【００１０】
本発明は、上記の課題を解決するために、補整下着において、部分的にベルト状の収縮布を複数枚重ねて縫製したパンツと、部分的にベルト状の収縮布を複数枚重ねて縫製し、前記パンツの上から股下で着脱可能なアンダーシャツとからなることを特徴とする補整下着の構成とした。
【００１１】
また、前記パンツを、下腹部周り、正面股関節付近から外腿を通り股下の裏ももまで、股下の裏腿から外腿下部を通り太腿正面下部まで、太腿正面下部から股下の内腿まで、の位置に当たるように伸縮布を縫製して部分的に収縮性を高めたパンツとしたことを特徴と補整下着の構成とした。
【００１２】
前記アンダーシャツを、鎖骨から肩及び肩胛骨を通り反対側の脇腹まで、胸から下腹部まで、腹部から腰まで、腰下から臀部下まで、の位置に当たるように伸縮布を縫製して部分的に収縮性を高めたアンダーシャツとしたことを特徴とする補整下着の構成とした。
【００１３】
更に、前記パンツを、正面股関節付近から腰下及び外腿まで、尾てい骨の周囲を除いた腰から裏腿まで、の位置に当たるように伸縮布を縫製して部分的に収縮性を高めたパンツとしたことを特徴とする補整下着の構成とした。
【００１４】
加えて、前記アンダーシャツを、鎖骨から肩を通り肩胛骨まで、胸部、腹部及び下腹部を除いた脇の下から脇腹まで、肩胛骨の周囲及び尾てい骨の周囲を除いた脇の下から腰及び裏腿まで、の位置に当たるように伸縮布を縫製して部分的に収縮性を高めたアンダーシャツとしたことを特徴とする補整下着の構成とした。
【発明の効果】
【００１５】
本発明は上記のような構成であるため、アンダーシャツとパンツの二点という少ない部材で気になる部分を補正するとともに肥満等の原因の一つである体幹のズレを補正することができる。
【００１６】
また、矯正により補整下着にかかる負荷が分散されて一定の箇所に負荷が集中することないため補正強度が弱まったり、破損する心配がなく長期間に渡って使用することができ経済的である。
【００１７】
また、アンダーシャツとパンツの重なり部分がごく僅かな範囲に限られているため、補整下着の上に着る洋服が不自然に膨らむことがない。
【図面の簡単な説明】
【００１８】
【図１】本発明である補整下着における男性用パンツの正面図である。
【図２】本発明である補整下着における男性用パンツの背面図である。
【図３】本発明である補整下着における男性用パンツの左右布を示す図である。
【図４】本発明である補整下着における男性用パンツの各ベルトを示す図である。
【図５】本発明である補整下着における男性用パンツの前後合わせ布を示す図である。
【図６】本発明である補整下着における男性用パンツの背面左右布を示す図である。
【図７】本発明である補整下着における男性用アンダーシャツの正面図である。
【図８】本発明である補整下着における男性用アンダーシャツの背面図である。
【図９】本発明である補整下着における男性用アンダーシャツの各布を示す図である。
【図１０】本発明である補整下着における男性用アンダーシャツの左右布を示す図である。
【図１１】本発明である補整下着における男性用アンダーシャツの各ベルトを示す図である。
【図１２】本発明である補整下着における男性用アンダーシャツの各布を示す図である。
【図１３】本発明である補整下着における男性用アンダーシャツの背面左右布を示す図である。
【図１４】本発明である補整下着における男性用アンダーシャツの各ベルトを示す図である。
【図１５】本発明である補整下着における女性用パンツの正面図である。
【図１６】本発明である補整下着における女性用パンツの背面図である。
【図１７】本発明である補整下着における女性用パンツの各布を示す図である。
【図１８】本発明である補整下着における女性用パンツの各布及び各ベルトを示す図である。
【図１９】本発明である補整下着における女性用パンツの各布及び各ベルトを示す図である。
【図２０】本発明である補整下着における女性用アンダーシャツの正面図である。
【図２１】本発明である補整下着における女性用アンダーシャツの背面図である。
【図２２】本発明である補整下着における女性用アンダーシャツの各布及び各ベルトを示す図である。
【図２３】本発明である補整下着における女性用アンダーシャツの各布及び各ベルトを示す図である。
【発明を実施するための形態】
【００１９】
以下、添付の図面を参照し、本発明の実施の形態について詳細に説明する。
【実施例１】
【００２０】
図１は本発明である補整下着における男性用パンツの正面図、図２は男性用パンツの背面図、図３は男性用パンツの左右布を示す図、図４は男性用パンツの各ベルトを示す図、図５は男性用パンツの前後合わせ布を示す図、図６は男性用パンツの背面左右布を示す図である。
【００２１】
図１及び図２に示すように男性用パンツ１は、下腹部周り、正面股関節付近から外腿を通り股下の裏ももまで、股下の裏腿から外腿下部を通り太腿正面下部まで、太腿正面下部から股下の内腿までの位置に当たるように伸縮布を縫製して部分的に収縮性を高めたパンツである。
【００２２】
図３から図６を使用して、男性用パンツ１の各部材を説明することとする。まず図３には、男性用パンツ１の左右の太腿部分に当たる左右布２、３を示した。前記左右布２、３は同型同大である。尚、前記左右布２、３に示した点線は後に説明する各ベルトの貼付位置を表している。
【００２３】
図３（Ａ）図示すように、前記左布２は、左布前面２ａと左布後面２ｂからなり、前記左布前後面２ａ、２ｂは左右対称である。また、前記左布２は８つの辺からなり、上辺にあたる第一辺２ｃと下辺にあたる第五辺２ｇは平行しており、前記第一辺２ｃより第五辺２ｇの方が長い。
【００２４】
前記第一辺２ｃの左布前面２ａ側端部からは下方に向かって第二辺２ｄ、第三辺２ｅが形成されている。前記第二辺２ｄ、第三辺２ｅは一連となっており、前記第一辺２ｃの端部から大きく湾曲して張り出している。
【００２５】
更に前記第三辺２ｅの端部からは第四辺２ｆが形成されており、前記第四辺２ｆの他端は前記第五辺２ｇの一端に繋がっている。図３（Ａ）に示すように前記第四辺２ｆは第三辺２ｅの端部から引き返して緩やかに湾曲しながら第五辺２ｇの端部へ繋がっている。即ち、左布前面２ａにおいては、第三辺２ｅと第四辺２ｆの接続部が最も大きく張り出した部分となっている。
【００２６】
前記第一辺２ｃの左布後面２ｂ側端部からは下方に向かって第八辺２ｊ、第七辺２ｉが形成されている。前記第八辺２ｊ、第七辺２ｉは一連となっており、前記第一辺２ｃの端部から大きく湾曲して張り出している。
【００２７】
更に前記第七辺２ｉの端部からは第六辺２ｈが形成されており、前記第六辺２ｈの他端は前記第五辺２ｇの他端に繋がっている。図３（Ａ）に示すように前記第六辺２ｈは第七辺２ｉの端部から引き返して緩やかに湾曲しながら第五辺２ｇの端部へ繋がっている。即ち、左布後面２ｂにおいては、第七辺２ｉと第六辺２ｈの接続部が最も大きく張り出した部分となっている。
【００２８】
尚、前記左布２は左右対称であるため、前記第二辺２ｄと前記第八辺２ｊ、前記第三辺２ｅと第七辺２ｉ、前記第四辺２ｆと第六辺２ｈが各々左右対称となっている。
【００２９】
前述の通り、右布３は、前記左布２と同型同大である。即ち、図３（Ｂ）に示すように、前記右布３は、右布前面３ａと右布後面３ｂからなり、前記右布前後面３ａ、３ｂは左右対称である。また、前記右布３は８つの辺からなり、上辺にあたる第一辺３ｃと下辺にあたる第五辺３ｇは平行しており、前記第一辺３ｃより第五辺３ｇの方が長い。
【００３０】
前記第一辺３ｃの右布前面３ａ側端部からは下方に向かって第二辺３ｄ、第三辺３ｅが形成されている。前記第二辺３ｄ、第三辺３ｅは一連となっており、前記第一辺３ｃの端部から大きく湾曲して張り出している。
【００３１】
更に前記第三辺３ｅの端部からは第四辺３ｆが形成されており、前記第四辺３ｆの他端は前記第五辺３ｇの一端に繋がっている。図３（Ｂ）に示すように前記第四辺３ｆは第三辺３ｅの端部から引き返して緩やかに湾曲しながら第五辺３ｇの端部へ繋がっている。即ち、右布前面３ａにおいては、第三辺３ｅと第四辺３ｆの接続部が最も大きく張り出した部分となっている。
【００３２】
前記第一辺３ｃの右布後面３ｂ側端部からは下方に向かって第八辺３ｊ、第七辺３ｉが形成されている。前記第八辺３ｊ、第七辺３ｉは一連となっており、前記第一辺３ｃの端部から大きく湾曲して張り出している。
【００３３】
更に前記第七辺３ｉの端部からは第六辺３ｈが形成されており、前記第六辺３ｈの他端は前記第五辺３ｇの他端に繋がっている。図３（Ｂ）に示すように前記第六辺３ｈは第七辺３ｉの端部から引き返して緩やかに湾曲しながら第五辺３ｇの端部へ繋がっている。即ち、右布後面３ｂにおいては、第七辺３ｉと第六辺３ｈの接続部が最も大きく張り出した部分となっている。
【００３４】
尚、前記右布３も左右対称であるため、前記第二辺３ｄと前記第八辺３ｊ、前記第三辺３ｅと第七辺３ｉ、前記第四辺３ｆと第六辺３ｈが各々左右対称となっている。
【００３５】
次に図４に前記左右布２、３に縫製する各ベルト（第一ベルト１０、第二ベルト１１、第三ベルト１２、第四ベルト１３）を示した。
【００３６】
図４（Ｃ）に示すように、第一ベルト１０は、略台形状をしており、第一辺１０ｃ及び第四辺１０ｇからなる上辺と第三辺１０ｅ及び第六辺１０ｉからなる下辺は平行しており、上辺よりも下辺の方が若干長い。また、前記上辺の一端（第一辺１０ｃの一端）と下辺の一端（第三辺１０ｅの一端）は第二辺１０ｄで繋がっており、前記上辺の他端（第四辺１０ｇの一端）と下辺の他端（第六辺１０ｉの一端）は第五辺１０ｈで繋がっている。
【００３７】
前述の通り、上辺よりも下辺の方が長いため、前記第二辺１０ｄ及び第五辺１０ｈは下方に向かうに従い外方へ張り出しており、前記第一ベルト１０は末広がりの略台形状をしている。
【００３８】
前記第一辺１０ｃと第四辺１０ｇの接続部から前記第三辺１０ｅと第六辺１０ｉの接続部にかけて引かれた点線は中線１０ｆであり、第一ベルト１０は、前記中線１０ｆを境にして、第一面１０ａと第二面１０ｂに分かれている。
【００３９】
図４（Ｄ）に示すように、第二ベルト１１は、７つの辺からなる。第二ベルト１１において最も長い辺である第三辺１１ｅの一端は第二辺１１ｄの一端に繋がっており、第三辺１１ｅの他端は第四辺１１ｆの一端に繋がっている。また前記第二辺１１ｄの他端は第一辺１１ｃの一端に繋がっており、この第一辺１１ｃは、前記第三辺１１ｅと略平行の関係にある。
【００４０】
前記第一辺１１ｃの他端は第六辺１１ｉの一端に繋がっており、第六辺１１ｉは第一辺１１ｃから第三辺１１ｅとの距離を広げるように繋がっている。更に第六辺１１ｉの他端に第一辺１１ｃと略平行の第五辺１１ｇの一端が繋がっており、前記第五辺１１ｇの他端からは前記第三辺１１ｅに向かって第七辺１１ｊの一端が繋がっている。そして前記第七辺１１ｊの他端は前記第四辺１１ｆの他端に繋がっている。
【００４１】
図４（Ｄ）に示すように、前記第一辺１１ｃと第六辺１１ｉの接続部から前記第七辺１１ｊと第四辺１１ｆの接続部にかけて引かれた点線は中線１１ｈであり、第二ベルト１は、前記中線１１ｈを境にして、第一面１１ａと第二面１１ｂに分かれている。
【００４２】
図４（Ｅ）に示すように、第三ベルト１２は、４つの辺からなる略台形状をしている。第三ベルト１２において最も長い辺である第一辺１２ａの一端は第二辺１２ｂの一端に繋がっており、前記第二辺１２ｂの他端は第三辺１２ｃの一端に繋がっている。更に前記第三辺１２ｃの他端は第四辺１２ｄの一端に繋がっており、前記第四辺１２ｄの他端は前記第一辺１２ａの他端に繋がっている。
【００４３】
前記第三辺１２ｃは第一辺１２ａの次に長い辺で、前記第一辺１２ａと対向した辺である。前記第二辺１２ｂは第三辺１２ｃの次に長い辺であり、最も短い辺が前記第四辺１２ｄである。前記第二辺１２ｂと第四辺１２ｄは対向している。
【００４４】
図４（Ｆ）に示すように、第四ベルト１３は、４つの辺からなる略台形状をしている。第四ベルト１３において最も長い辺である第一辺１３ａの一端は第二辺１３ｂの一端に繋がっており、前記第二辺１３ｂの他端は第三辺１３ｃの一端に繋がっている。更に第三辺１３ｃの他端は第四辺１３ｄの一端に繋がっており、前記第四辺１３ｄの他端は前記第一辺１３ａの他端に繋がっている。  
【００４５】
前記第三辺１３ｃは第一辺１３ａに次いで長い辺であり、第一辺１３ａと略平行の関係にある。前記第一辺１３ａの一端と第三辺１３ｃの一端を繋いでいる第二辺１３ｂは僅かに弧を形成している。
【００４６】
図４に示した前記４つのベルト１０、１１、１２、１３は、図３に示した左右布２、３に縫合される。
【００４７】
前記第一ベルト１０は左右布２、３の上部にそれぞれ縫合される。即ち、第一ベルト１０を左布２に縫合する場合、第一辺１０ｃと第一辺２ｃを重ね、第二辺１０ｄと第二辺２ｄを重ね、中線１０ｆと第八辺２ｊを重ねて縫合し、第一ベルト１０の第一面１０ａが左布２に重なった状態となっている。
【００４８】
同じく、第一ベルト１０を右布３に縫合する場合は、第一辺１０ｃと第一辺３ｃを重ね、第二辺１０ｄと第二辺３ｄを重ね、中線１０ｆと第八辺３ｊを重ねて縫合し、第一ベルト１０の第一面１０ａが右布３に重なった状態となっている。
【００４９】
次に前記第二ベルト１１を左布２に縫合する場合、第二辺１１ｄを第二辺２ｄの下端側から重ね、第四辺１１ｆを第六辺２ｈに重ねて縫合し、第二ベルト１１の第一面１１ａが左布２に重なった状態となっている。尚、このとき第二ベルト１１の一部と前記第一ベルト１０の一部は重なり三重となっている。
【００５０】
同じく、第二ベルト１１を右布３に縫合する場合は、第二辺１１ｄを第二辺３ｄの下端側から重ね、第四辺１１ｆを第六辺３ｈに重ねて縫合し、第二ベルト１１の第一面１１ａが右布３に重なった状態となっている。尚、第二ベルト１１の一部と第一ベルト１０の一部が重なり三重となっていることも同様である。
【００５１】
次に第三ベルト１２を左布２に縫合する場合、第四辺１２ｄを第七辺２ｉの下端側から重ね、第二辺１２ｂと第三辺１２ｃの接続部（角）を第五辺２ｇ上に合わせて縫合する。同じく右布３に縫合する場合は、第四辺１２ｄを第七辺３ｉの下端側から重ね、第二辺１２ｂと第三辺１２ｃの接続部（角）を第五辺３ｇ上に合わせて縫合する。尚、前記第三ベルト１２の一部と第二ベルト１１の一部は重なり三重となっている。
【００５２】
次に第四ベルト１３を左布２に縫合する場合、第二辺１３ｂを第四辺２ｆの上端側から重ね、第四ベルト１３の第三辺１３ｃと第四辺１３ｄが構成する角と第三ベルト１２の第二辺１２ｂと第三辺１２ｃが構成する角を重ねて縫合する。同じく右布３に縫合する場合は、第二辺１３ｂを第四辺３ｆの上端側から重ね、第四ベルト１３の第三辺１３ｃと第四辺１３ｄが構成する角と第三ベルト１２の第二辺１２ｂと第三辺１２ｃが構成する角を重ねて縫合する。尚、前記第三ベルト１２の一部と第四ベルト１３の一部は重なり三重となっている。
【００５３】
以上のように各ベルト１０、１１、１２、１３を縫合した部分は収縮性が強くなっており、更に、ベルト同士が重なり三重となっている部分は収縮性が更に強くなっている。
【００５４】
次に図５に前記左布前面２ａと右布前面３ａの間に縫合される前後合わせ布４、５を示した。
【００５５】
図５（Ｇ）に示すように、前合わせ布４はスコップの一部を切り落としたような形状をしている。即ち、長さの異なる第一辺４ａと第四辺４ｄが平行しており、前記第一辺４ａの一端と第四辺４ｄの一端同士を第二辺４ｂで繋ぎ、第一辺４ａの他端と第四辺４ｄの他端を第五辺４ｅで繋ぎ、更に前記第二辺４ｂの一部を略弧状に切り落として第三辺４ｃを形成している。
【００５６】
上辺となる前記第一辺４ａと下辺となる第四辺４ｄの長さは大きく異なり、第四辺４ｄの方が短い。第一辺４ａの他端と第四辺４ｄの他端を繋ぐ前記第五辺４ｅは、直線ではなく、第一辺４ａの他端から下方に向かうときに僅かに外方に向かっており、中盤から大きく内側に向かって湾曲して第四辺４ｄの他端に繋がっている。
【００５７】
図５（Ｈ）に示すように、後合わせ布５は、前合わせ布４と同型同大で反転したものである。即ち、後合わせ布５もスコップの一部を切り落としたような形状をしている。長さの異なる第一辺５ａと第四辺５ｄが平行しており、前記第一辺５ａの一端と第四辺５ｄの一端同士を第二辺５ｂで繋ぎ、第一辺５ａの他端と第四辺５ｄの他端を第五辺５ｅで繋ぎ、更に前記第二辺５ｂの一部を略弧状に切り落として第三辺５ｃを形成している。
【００５８】
上辺となる前記第一辺５ａと下辺となる第四辺５ｄの長さは大きく異なり、第四辺５ｄの方が短い。第一辺５ａの他端と第四辺５ｄの他端を繋ぐ前記第五辺５ｅは、直線ではなく、第一辺５ａの他端から下方に向かうときに僅かに外方に向かっており、中盤から大きく内側に向かって湾曲して第四辺５ｄの他端に繋がっている。
【００５９】
次に図６に前記左布後面２ｂと右布後面３ｂの間に縫合される背面左右布６、７を示した。
【００６０】
図６（Ｉ）に示すように、背面左布６は大きく湾曲した略への字状をしている。第一辺６ｄの一端は第二辺６ｅの一端と繋がっており、前記第一辺６ｄと第二辺６ｅは略垂直関係にある。前記第二辺６ｅの他端は第三辺６ｆの一端に繋がっており、第三辺６ｆの他端は第四辺６ｇの一端に繋がっている。前記第三辺６ｆから第四辺６ｇにかけては大きく右方に湾曲した辺を形成している。
【００６１】
前記第四辺６ｇの他端は第五辺６ｈの一端と繋がっており、前記第四辺６ｇと第五辺６ｈは略垂直関係にある。前記第五辺６ｈの他端には第五辺６ｈから左方に向かう第六辺６ｉの一端が繋がっており、第六辺６ｉの他端は第七辺６ｊに繋がっている。前記第六辺６ｉから第七辺６ｊにかけては大きく上方に湾曲した辺を形成している。更に第七辺６ｊの他端は第八辺６ｋの一端に繋がっており、第八辺６ｋの他端が前記第一辺６ｄの他端に繋がっている。
【００６２】
図６（Ｉ）に示すように、背面左布６のうち、第二辺６ｅと第八辺６ｋに挟まれた部分は第一面６ａ、第三辺６ｆと第七辺６ｊに挟まれた部分は第二面６ｂ、第四辺６ｇと第六辺６ｉに挟まれた部分は第三面６ｃである。
【００６３】
図６（Ｊ）に示すように、背面右布７は背面左布６と同型同大で反転したものである。即ち、背面右布７は大きく湾曲した略への字状をしている。第一辺７ｄの一端は第二辺７ｅの一端と繋がっており、前記第一辺７ｄと第二辺７ｅは略垂直関係にある。前記第二辺７ｅの他端は第三辺７ｆの一端に繋がっており、第三辺７ｆの他端は第四辺７ｇの一端に繋がっている。前記第三辺７ｆから第四辺７ｇにかけては大きく左方に湾曲した辺を形成している。
【００６４】
前記第四辺７ｇの他端は第五辺７ｈの一端と繋がっており、前記第四辺７ｇと第五辺７ｈは略垂直関係にある。前記第五辺７ｈの他端には第五辺７ｈから右方に向かう第六辺７ｉの一端に繋がっており、第六辺７ｉの他端は第七辺７ｊに繋がっている。前記第六辺７ｉから第七辺７ｊにかけては大きく上方に湾曲した辺を形成している。更に第七辺７ｊの他端は第八辺７ｋの一端に繋がっており、第八辺７ｋの他端が前記第一辺７ｄの他端に繋がっている。
【００６５】
図６（Ｊ）に示すように、背面右布７のうち、第二辺７ｅと第八辺７ｋに挟まれた部分は第一面７ａ、第三辺７ｆと第七辺７ｊに挟まれた部分は第二面７ｂ、第四辺７ｇと第六辺７ｉに挟まれた部分は第三面７ｃである。
【００６６】
図１、図３及び図５に示すように、前記前合わせ布４と後合わせ布５は、まず各第一辺４ａ、５ａ同士を重ね、同時に第四辺４ｄ、５ｄ同士を重ねて縫合され、更に第三辺４ｃ、５ｃ以外の重なり辺を縫合される。
【００６７】
次に、前合わせ布４の第五辺４ｅは前記左布２の第二辺２ｄ及び第三辺２ｅに縫合され、後合わせ布５の第五辺５ｅは前記右布３の第二辺３ｄ及び第三辺３ｅと縫合される。
【００６８】
図２、図３及び図６に示すように、前記背面左布６と背面右布７は、まず各第六辺６ｉ、７ｉ同士、各第七辺６ｊ、７ｊ同士、及び各第八辺６ｋ、７ｋ同士を縫合する。次に背面左布６の第二辺６ｅ、第三辺６ｆ及び第四辺６ｇを左布２の第八辺２ｊから第七辺２ｉの位置に縫合し、背面右布７の第二辺７ｅ、第三辺７ｆ及び第四辺７ｇを右布３の第八辺３ｊから第七辺３ｉの位置に縫合する。
【００６９】
そして、左布２においては第四辺２ｆと第六辺２ｈを縫合し、右布３においては第四辺３ｆと第六辺３ｈを縫合して、太腿を通す筒状にする。
【００７０】
前記左布２の第一辺２ｃ、右布３の第一辺３ｃ前後合わせ布４、５の第一辺４ａ、５ａ及び背面左右布６、７の第一辺６ｄ、７ｄは腰ゴム８が縫合され、左布２の第五辺２ｇと右布３の第五辺３ｇにはそれぞれ腿ゴム９が縫合され図１及び図２に示すような男性用パンツ１となる。
【００７１】
尚、図４（Ｄ）に示した第二ベルト１１の第二面１１ｂは、図６の背面左布６における第三面６ｃ及び背面右布７における第三面７ｃにそれぞれ重ねて縫合され、この重なり部分はそれぞれ二重となっている。
【実施例２】
【００７２】
図７は本発明である補整下着における男性用アンダーシャツの正面図、図８は男性用アンダーシャツの背面図、図９は男性用アンダーシャツの各布を示す図、図１０は男性用アンダーシャツの左右布を示す図、図１１は男性用アンダーシャツの各ベルトを示す図、図１２は男性用アンダーシャツの各布を示す図、図１３は男性用アンダーシャツの背面左右布を示す図、図１４は男性用アンダーシャツの各ベルトを示す図である。
【００７３】
図７及び図８に示すように、男性用アンダーシャツ１ａは、鎖骨から肩及び肩胛骨を通り反対側の脇腹まで、胸から下腹部まで、腹部から腰まで、腰下から臀部下までの位置に当たるように伸縮布を縫製して部分的に収縮性を高めたアンダーシャツである。
【００７４】
図９から図１４を使用して、男性用アンダーシャツ１ａの各部材を説明することとする。まず図９には、男性用アンダーシャツ１ａの前中央布２０、前後合わせ布２１、２２、中央左右下布２３、２４及び前下合わせ布２５を示した。
【００７５】
図９（Ａ）に示すように、前中央布２０は縦長の略台形状をした布で、左右対称の形状をしている。第一辺２０ａと第三辺２０ｃは対向しており、前記第三辺２０ｃは第一辺２０ａよりも長い。
【００７６】
前記第一辺２０ａの一端と第三辺２０ｃの一端は第二辺２０ｂで繋がっており、第一辺２０ａの他端と第三辺２０ｃの他端は第四辺２０ｄで繋がっている。尚、前記第二辺２０ｂと第四辺２０ｄは同じ長さであり、前記第一辺２０ａの両端から下方に向けて末広がりの状態となっている。また、点線は中線２０ｅを示しており、後に説明する前後合わせ布２１、２２の縫合位置を示している。
【００７７】
図９（Ｂ）に示すように、前合わせ布２１は、ホームベースの一部を切り落としたような形状をしている。第一辺２１ａと第四辺２１ｄは平行の関係にあり、第一辺２１ａは第四辺２１ｄと比べて長い辺である。
【００７８】
前記第一辺２１ａの一端から略垂直下方に向かって第二辺２１ｂが繋がっており、前記第二辺２１ｂの他端から斜め右下に向かう第三辺２１ｃが繋がっている。前記第三辺２１ｃの他端は前記第四辺２１ｄの一端に繋がっており、前記第四辺２１ｄの他端から斜め右上に向かう第五辺２１ｅが繋がっている。更に第五辺２１ｅの他端から上方に向かう第六辺２１ｆが繋がっており、第六辺２１ｆの他端は前記第一辺２１ａの他端に繋がっている。尚、点線は中線２１ｇを示しており、前記中線２１ｇと第二辺２１ｂは反転しただけで同じ長さである。
【００７９】
図９（Ｃ）に示すように、後合わせ布２２は、前述の前合わせ布２１と同型同大で反転した布である。即ち、後合わせ布２２は、ホームベースの一部を切り落としたような形状をしている。第一辺２２ａと第四辺２２ｄは平行の関係にあり、第一辺２２ａは第四辺２２ｄと比べて長い辺である。
【００８０】
前記第一辺２２ａの一端から略垂直下方に向かって第二辺２２ｂが繋がっており、前記第二辺２２ｂの他端から斜め左下に向かう第三辺２２ｃが繋がっている。前記第三辺２２ｃの他端は前記第四辺２２ｄの一端に繋がっており、前記第四辺２２ｄの他端から斜め左上に向かう第五辺２２ｅが繋がっている。更に第五辺２２ｅの他端から上方に向かう第六辺２２ｆが繋がっており、第六辺２２ｆの他端は前記第一辺２２ａの他端に繋がっている。尚、点線は中線２２ｇを示しており、前記中線２２ｇと第二辺２２ｂは反転しただけで同じ長さである。
【００８１】
図９（Ｄ）に示すように、中央左右下布２３、２４は略三角型状をしており、左右を反転した同型同大である。
【００８２】
中央左下布２３は、大きな辺である第一辺２３ａ、第三辺２３ｃ及び第四辺２３ｄからなり、前記第一辺２３ａと第三辺２３ｃの間に短い辺の第二辺２３ｂを形成した三角形に近い四角形をしている。
【００８３】
同じく、中央右下布２４は、大きな辺である第一辺２４ａ、第三辺２４ｃ及び第四辺２４ｄからなり、前記第一辺２３ａと第三辺２4ｃの間に短い辺の第二辺２４ｂを形成した三角形に近い四角形をしている。
【００８４】
図９（Ｅ）に示すように、前下合わせ布２５は長方形状の布に複数のボタン２５ａを取り付けた布である。
【００８５】
次に図１０に前記前中央布２０、前後合わせ布２１、２２及び中央左右下布２３、２４と縫合される左右布２６、２７を示した。
【００８６】
図１０（Ｆ）に示すように、左布２６は、男性用アンダーシャツ１ａの正面左側に使用する布であり、８つの辺からなる。
【００８７】
第一辺２６ｄの一端から斜め左下に緩やかに湾曲した第二辺２６ｅが繋がっており、第二辺２６ｅの他端から下方やや右下に向かって第三辺２６ｆが繋がっている。第三辺２６ｆの他端から延長線上に第四辺２６ｇが繋がっており、第四辺２６ｇの他端から更に右下に向かう第五辺２６ｈが繋がっている。前記第五辺２６ｈの他端から大きく右下に向かう第六辺２６ｉが繋がっており、第六辺２６ｉの他端から上方に向かう第七辺２６ｊが繋がっている。更に第七辺２６ｊの他端から前記第三辺２６ｆ側に大きく湾曲しながら上方に向かう第八辺２６ｋが繋がっており、第八辺２６ｋの他端は前記第一辺２６ｄの他端に繋がっている。
【００８８】
前記第二辺２６ｅは第一辺２６ｄの一端から斜め左下に向かって緩やかに湾曲した辺であり、前記第八辺２６ｋは第一辺２６ｄの他端から斜め右下に向かって湾曲した辺である。図１０（Ｆ）に示したように、第二辺２６ｅよりも第八辺２６ｋのほうが大きく湾曲している。また、第二辺２６ｅが男性用アンダーシャツ１ａの首回りの一部を形成する辺であり、第八辺２６ｋは男性用アンダーシャツ１ａの脇の下を形成する辺である。
【００８９】
上記の各辺からなる前記左布２６は、点線で示した部分を境にして第一面２６ａ、第二面２６ｂ及び第三面２６ｃに分かれている。
【００９０】
図１０（Ｇ）に示すように、右布２７は、前記左布２６と同型同大で反転した布である。即ち、右布２７は、男性用アンダーシャツ１ａの正面右側に使用する布であり、８つの辺からなる。
【００９１】
第一辺２７ｄの一端から斜め右下に緩やかに湾曲した第二辺２７ｅが繋がっており、第二辺２７ｅの他端から下方やや左下に向かって第三辺２７ｆに繋がっている。第三辺２７ｆの他端から延長線上に第四辺２７ｇが繋がっており、第四辺２７ｇの他端から更に左下に向かう第五辺２７ｈが繋がっている。前記第五辺２７ｈの他端から大きく左下に向かう第六辺２７ｉが繋がっており、第六辺２７ｉの他端から上方に向かう第七辺２７ｊが繋がっている。更に第七辺２７ｊの他端から前記第三辺２７ｆ側に大きく湾曲しながら上方に向かう第八辺２７ｋが繋がっており、第八辺２７ｋの他端は前記第一辺２７ｄの他端に繋がっている。
【００９２】
前記第二辺２７ｅは第一辺２７ｄの一端から斜め右下に向かって緩やかに湾曲した辺であり、前記第八辺２７ｋは第一辺２７ｄの他端から斜め左下に向かって湾曲した辺である。図１０（Ｇ）に示したように、第二辺２７ｅよりも第八辺２７ｋのほうが大きく湾曲している。また、第二辺２７ｅが男性用アンダーシャツ１ａの首回りの一部を形成する辺であり、第八辺２７ｋは男性用アンダーシャツ１ａの脇の下を形成する辺である。
【００９３】
上記の各辺からなる前記左布２７は、点線で示した部分を境にして第一面２７ａ、第二面２７ｂ及び第三面２７ｃに分かれている。
【００９４】
次に図１１に前中央布２０及び左右布２６、２７に縫製する各ベルト（第五ベルト３５、第六ベルト３６、第七ベルト３７）を示した。
【００９５】
図１１（Ｈ）に示すように、第五ベルト３５は、前述の前中央布２０と同型同大である。即ち、第五ベルト３５は、縦長の略台形状をした布で、左右対称の形状をしている。第一辺３５ａと第三辺３５ｃは対向しており、前記第三辺３５ｃは第一辺３５ａよりも長い。
【００９６】
前記第一辺３５ａの一端と第三辺３５ｃの一端は第二辺３５ｂで繋がっており、第一辺３５ａの他端と第三辺３５ｃの他端は第四辺３５ｄで繋がっている。尚、前記第二辺３２５ｂと第四辺３５ｄは同じ長さであり、前記第一辺３５ａの両端から下方に向けて末広がりの状態となっている。
【００９７】
図１１（Ｉ）に示すように、第六ベルト３６は、前記左右布２６、２７のそれぞれの第二面２６ｂ、２７ｂに縫製するベルトであり、略台形状をしている。即ち、上辺にあたる第二辺３６ｅと下辺にあたる第四辺３６ｇは略平行関係にあり、第二辺３６ｅよりも第四辺３６ｇの方が長い。
【００９８】
前記第二辺３６ｅの一端から第四辺３６ｇの一端にかけて第一辺３６ｄが繋がっており、第二辺３６ｅの他端から第四辺３６ｇの他端にかけて第三辺３６ｆが繋がっている。前記第一辺３６ｄは第二辺３６ｅの一端から斜め上方に向かって第四辺３６ｇに繋がっており、第三辺３６ｆは第二辺３６ｅの他端から斜め下方に向かって第四辺３６ｇに繋がっている。
【００９９】
尚、点線は第一中線３６ｈと第二中線３６ｉを示しており、前記第一中線３６ｈは第一辺３６ｄと略平行関係にあり、前記第二中線３５ｉは第三辺３６ｆと略平行関係にある。また第六ベルト３６は第一中線３６ｈ及び第二中線３６ｉを境にして第一面３６ａ、第二面３６ｂ及び第三面３６ｃに分かれている。
【０１００】
図１１（Ｊ）に示すように、第七ベルト３７は、前記第六ベルト３６の第二面３６ｂに縫合するベルトであり、略台形状をしている。即ち、上辺にあたる第二辺３７ｂと下辺にあたる第四辺３７ｄは略平行関係にあり、第二辺３７ｂよりも第四辺３７ｄの方が長い。
【０１０１】
前記第二辺３７ｂの一端から第四辺３７ｄの一端にかけて第一辺３７ａが繋がっており、第二辺３７ｂの他端から第四辺３７ｄの他端にかけて第三辺３７ｃが繋がっている。前記第一辺３７ａは第二辺３７ｂの一端から斜め上方に向かって第四辺３７ｄに繋がっており、第三辺３７ｃは第二辺３７ｂの他端から斜め下方に向かって第四辺３７ｄに繋がっている。
【０１０２】
次に図１２に背面中央布２８、背面下布２９及び後下布３０を示した。
【０１０３】
図１２（Ｋ）に示すように、背面中央布２８は左右対称で葉の一部を切り落としたような形状をしている。即ち、左辺にあたる第一辺２８ｇと右辺にあたる第二辺２８ｈは同型の弧状をしており第一辺２８ｇを反転したものが第二辺２８ｈと等しい。
【０１０４】
前記第一辺２８ｇと第二辺２８ｈの上端同士は繋がっており、上端から下方に向かうつれてそれぞれの辺が一度外方に向かって張り出し、更に下方に向かうに連れて内側に湾曲し第三辺２８ｉの各端部に繋がっている。
【０１０５】
前記背面中央布２８の縦方向に示した点線は中央線２８ｊを示しており、横方向且つ中央がやや屈曲している点線は第一中線２８ｋ、第二中線２８ｌ、第三中線２８ｍを示している。第一中線２８ｋ及び第二中線２８ｌは背面中央布２８の上部側に位置しており、第一中線２８ｋと第二中線２８ｌは略平行の関係にある。また、第三中線２８ｍは背面中央布２８の下部側、即ち第三辺２８ｉ近くに位置している。
【０１０６】
前記第二中線２８ｌから上部側で中央線２８ｊの左面を第一面２８ａ、右面を第四面２８ｄ、前記第二中線２８ｌから第三中線２８ｍの間で中央線２８ｊの左面を第二面２８ｂ、右面を第五面２８ｅ、前記第三中線２８ｍの下側で中央線２８ｊの左面を第三面２８ｃ、右面を第六面２８ｆに分けている。
【０１０７】
図１２（Ｌ）に示すように、背面下布２９は、左右対称で上辺が大きく湾曲した三味線のばちのような形状をしている。即ち、上辺にあたる第一辺２９ａは中央部分が大きく上部に向かって膨らんだ弧状をしており、前記第一辺２９ａの各端部から下方に向かって第二辺２９ｂと第四辺２９ｄが繋がっている。前記第二辺２９ｂと第四辺２９ｄは同型で、第二辺２９ｂを反転すると第四辺２９ｄと等しい。
【０１０８】
前記第二辺２９ｂ及び第四辺２９ｄは第一辺２９ａの両端から下方に向かう際にそれぞれ内側に湾曲して下方に向かい、第三辺２９ｃの両端に繋がっている。
【０１０９】
図１２（Ｍ）に示すように、後合わせ布３０は、前述の前合わせ布２５と同型同大であえる。即ち、後下合わせ布３０は長方形状の布に複数のボタン３０ａを取り付けた布である。ボタン３０ａは前合わせ布２５のボタン２５ａを嵌着するため、後合わせ布３０のボタン３０ａと前合わせ布２５のボタン２５ａの数は同じである。
【０１１０】
次に図１３に背面左右布３１、３３を示した。
【０１１１】
図１３に示すように、背面左右布３１、３３は同型同大であり、背面左布３１を反転すると背面右布３３と等しい。
【０１１２】
背面左布３１は、最上部の第一辺３２の一端から略垂直下方に第二辺３２ａが繋がっており、前記第二辺３２ａの下端から下方に向かって第三辺３２ｂが繋がっている。前記第三辺３２ｂは下方に向かうに従って外方に向かって湾曲している。
【０１１３】
前記第三辺３２ｂの下端からは前記第二辺３２ａと同方向、即ち下方に向かって第四辺３２ｃが繋がっており、第四辺３２ｃの下端から右方斜め下に向かって第五辺３２ｄが繋がっている。前記第五辺３２ｄの下端から右方斜め上に向かって第六辺３２ｅが繋がっており、前記第六辺３２ｅの上端からは上方に向かって、やや第四辺３２ｃ側に湾曲した第七辺３２ｆが繋がっている。
【０１１４】
前記第七辺３２ｆの上端からは垂直上方に向かって第八辺３２ｇが繋がり、第八辺３２ｇの上端から左方斜め上に向かって湾曲した第九辺３２ｈが繋がり、更に第九辺３２ｈの上端から上方に向かう第十辺３２ｉが繋がっている。前記第十辺３２ｉの上端は前記第一辺３２の他端に繋がっている。
【０１１５】
図１３に示すように、背面左布３１の複数の点線は各中線を示している。
第二辺３２ａの下端と第十辺３２ｉの下端を結ぶ線を第一中線４３、
第四辺３２ｃの中央と上端の真ん中付近から第八辺３２ｇの上端近くを結ぶ線を第二中線４３ａ、
第四辺３２ｃの中央から第八辺３２ｇの中央を結ぶ線を第三中線４３ｂ、
前記第一中線４３の第十辺３２ｉ側端部と第二中線４３ａの第八辺３２ｇ側端部を結ぶ線を第４中線４３ｃ、
前記第一中線４３の第二辺３２ａ側端部と第三中線４３ｂの第八辺３２ｇ側端部を結ぶ線を第五中線４３ｄ、
第三辺３２ｂの下端付近から第八辺３２ｇの下端付近を結び、緩やかに湾曲した線を第六中線４３ｅ、
前記第四辺３２ｃの中央と下端の真ん中付近から第七辺３２ｆの中央やや上を弧状を描きながら結ぶ線を第七中線４３ｆ、
前記第四辺３２ｃの第七中線４３ｆ開始位置のやや上側から第七辺３２ｆの下部を弧状を描きながら結ぶ線を第八中線４８ｇとした。
【０１１６】
尚、図１３に示すように、前記各中線４３〜４３ｇにより、背面左布３１を複数の面に分け、一部に名称を付した。即ち、
第一辺３２から第一中線４３の間を第一面３１ａ、
第一中線４３、第二中線４３ａ、第４中線４３ｃ及び第五中線４３ｄに囲まれた面を第二面３１ｂ、
第二中線４３ａ、第五中線４３ｄ及び第八辺３２ｇに囲まれた面を第三面３１ｃ、
第二中線４３ａ、第三中線４３ｂ、第五中線４３ｄ及び第六中線４３ｅに囲まれた面を第四面３１ｄ、
第二中線４３ａ、第六中線４３ｅ及び第四辺３２ｃに囲まれた面を第五面３１ｅ、
第二中線４３ａ、第三中線４３ｂ及び第六中線４３ｅに囲まれた面を第六面３１ｆ、
第三中線４３ｂ、第六中線４３ｅ及び第七中線４３ｆに囲まれた面を第七面３１ｇ、
第八中線４３ｇ、第四辺３２ｃ、第五辺３２ｄ及び第六辺３２ｅに囲まれた面を第八面３１ｈとした。
【０１１７】
前述の通り、背面右布３３は、前記背面左布３１と同型同大であり、背面左布３１を反転した形と等しい。即ち、背面右布３３は、最上部の第一辺３４の一端から略垂直下方に第二辺３４ａが繋がっており、前記第二辺３４ａの下端から下方に向かって第三辺３４ｂが繋がっている。前記第三辺３４ｂは下方に向かうに従って外方に向かって湾曲している。
【０１１８】
前記第三辺３４ｂの下端からは前記第二辺３４ａと同方向、即ち下方に向かって第四辺３４ｃが繋がっており、第四辺３４ｃの下端から左方斜め下に向かって第五辺３４ｄが繋がっている。前記第五辺３４ｄの下端から左方斜め上に向かって第六辺３４ｅが繋がっており、前記第六辺３４ｅの上端からは上方に向かって、やや第四辺３４ｃ側に湾曲した第七辺３４ｆが繋がっている。
【０１１９】
前記第七辺３４ｆの上端からは垂直上方に向かって第八辺３４ｇが繋がり、第八辺３４ｇの上端から右方斜め上に向かって湾曲した第九辺３４ｈが繋がり、更に第九辺３４ｈの上端から上方に向かう第十辺３４ｉが繋がっている。前記第十辺３４ｉの上端は前記第一辺３４の他端に繋がっている。
【０１２０】
図１３に示すように、背面右布３３の複数の点線は各中線を示している。
第二辺３４ａの下端と第十辺３４ｉの下端を結ぶ線を第一中線４４、
第四辺３４ｃの中央と上端の真ん中付近から第八辺３４ｇの上端近くを結ぶ線を第二中線４４ａ、
第四辺３４ｃの中央から第八辺３４ｇの中央を結ぶ線を第三中線４４ｂ、
前記第一中線４４の第十辺３４ｉ側端部と第二中線４４ａの第八辺３４ｇ側端部を結ぶ線を第４中線４４ｃ、
前記第一中線４４の第二辺３４ａ側端部と第三中線４４ｂの第八辺３４ｇ側端部を結ぶ線を第五中線４４ｄ、
第三辺３４ｂの下端付近から第八辺３４ｇの下端付近を結び、緩やかに湾曲した線を第六中線４４ｅ、
前記第四辺３４ｃの中央と下端の真ん中付近から第七辺３４ｆの中央やや上を弧状を描きながら結ぶ線を第七中線４４ｆ、
前記第四辺３４ｃの第七中線４４ｆ開始位置のやや上側から第七辺３４ｆの下部を弧状を描きながら結ぶ線を第八中線４４ｇとした。
【０１２１】
尚、図１３に示すように、前記各中線４４〜４４ｇにより、背面右布３３を複数の面に分け、一部に名称を付した。即ち、
第一辺３４から第一中線４４の間を第一面３３ａ、
第一中線４４、第二中線４４ａ、第４中線４４ｃ及び第五中線４４ｄに囲まれた面を第二面３３ｂ、
第二中線４４ａ、第五中線４４ｄ及び第八辺３４ｇに囲まれた面を第三面３３ｃ、
第二中線４４ａ、第三中線４４ｂ、第五中線４４ｄ及び第六中線４４ｅに囲まれた面を第四面３３ｄ、
第二中線４４ａ、第六中線４４ｅ及び第四辺３４ｃに囲まれた面を第五面３３ｅ、
第二中線４４ａ、第三中線４４ｂ及び第六中線４４ｅに囲まれた面を第六面３３ｆ、
第三中線４４ｂ、第六中線４４ｅ及び第七中線４４ｆに囲まれた面を第七面３３ｇ、
第八中線４４ｇ、第四辺３４ｃ、第五辺３４ｄ及び第六辺３４ｅに囲まれた面を第八面３３ｈとした。
【０１２２】
次に図１４に前記背面左右布３１、３３に縫製する各ベルト（第八ベルト３８、第九ベルト３９、第十ベルト４１及び第十一ベルト４２）を示した。
【０１２３】
図１４（Ｎ）に示すように、第八ベルト３８は、略への字状をしている。第一辺３８ｇの一端から略垂直下方に向かって第二辺３８ｈが繋がっており、前記第二辺３８ｈの下端から右方斜め下に向かって第三辺３８ｉが繋がっている。前記第三辺３８ｉの下端からは垂直上方に向かって第四辺３８ｊが繋がり、前記第四辺３８ｊの上端から左方斜め上に向かって第五辺３８ｋが繋がっている。前記第五辺３８ｋと前記第三辺３８ｉは略平行の関係にある。前記第五辺３８ｋの上端からは左方斜め上に向かいつつ湾曲して垂直上方へ伸びる第六辺３８ｌが繋がっており、前記第六辺３８ｌの上端は前記第一辺３８ｇの他端に繋がっている。
【０１２４】
図１４（Ｎ）に示すように、第八ベルト３８の複数の点線は各中線を示している。
第二辺３８ｈの下端と第六辺３８ｌの下端を結ぶ線を第一中線４５、
第三辺３８ｉと第五辺３８ｋを結ぶ複数の線を上から第二中線４５ａ、第三中線４５ｂ、第四中線４５ｃ、第五中線４５ｄとした。
【０１２５】
尚、図１４（Ｎ）に示すように、前記各中線４５〜４５ｄにより、第八ベルト３８を複数の面に分け、名称を付した。即ち、
第一辺３８ｇ、第二辺３８ｈ、第一中線４５及び第六辺３８ｌに囲まれた面を第一面３８ａ、
第一中線４５、第三辺３８ｉ、第二中線４５ａ及び第五辺３８ｋに囲まれた面を第二面３８ｂ、
第二中線４５ａ、第三中線４５ｂ、第三辺３８ｉ及び第五辺３８ｋに囲まれた面を第三面３８ｃ、
第３中線４５ｂ、第四中線４５ｃ、第三辺３８ｉ及び第五辺３８ｋに囲まれた面を第四面３８ｄ、
第四中線４５ｃ、第五中線４５ｄ、第三辺３８ｉ及び第五辺３８ｋに囲まれた面を第五面３８ｅ、
第五中線４５ｄ、第三辺３８ｉ及び第四辺３８ｊに囲まれた面を第六面３８ｆとした。
【０１２６】
図１４（Ｏ）に示すように、第九ベルト３９は、縦方向に垂直に伸びる第二辺４０ａの下端から略直角右方に向かって第三辺４０ｂが繋がっており、前記第三辺４０ｂの右端から前記第二辺４０ａ側にやや折り返すように斜め左上に向かって第四辺４０ｃが繋がっている。前記第四辺４０ｃの上端からは垂直上方に向かって第五辺４０ｄが繋がり、前記第五辺４０ｄの上端から斜め左上に向かって緩やかに湾曲しながら第六辺４０ｅが繋がっている。更に、前記第六辺４０ｅの上端から斜め左下に向かって第一辺４０が繋がり、前記第一辺４０の他端は前記第二辺４０ａの上端に繋がっている。
【０１２７】
図１４（Ｏ）に示すように、第九ベルト３９の複数の点線は各中線を示している。
第二辺４０ａの中央やや上部と第六辺４０ｅの中央やや上部を結ぶ線を第一中線４６、
第二辺４０ａの中央やや下部と第六辺４０ｅの中央やや下部を結び、前記第一中線４６と平行した線と第二中線４６ａ、
前記第二辺４０ａの第一中線４６開始位置のやや上側から第五辺４０ｄの中央を結ぶ、ゆるやかな弧状の線を第三中線４６ｂ、
第四辺４０ｃの上端と第三辺４０ｂの右端近くを結ぶ斜線を第四中線４６ｃ、
第二辺４０ａの下端近くと第四辺４０ｃの下端近くを結び、第三辺４０ｂと平行した線を第五中線４６ｄ、
第二辺４０ａの第五中線４６ｄ開始位置のやや上側から第三辺４０ｂの左端近くを結ぶ斜線を第六中線４６ｅとした。
【０１２８】
尚、図１４（Ｏ）に示すように、前記各中線４６〜４６ｅにより、第九ベルト３９を複数の面に分け、名称を付した。即ち、
第一辺４０、第二辺４０ａ、第六辺４０ｅ及び第一中線４６に囲まれた面を第一面３９ａ、
第一中線４６、第二中線４６ａ、第三中線４６ｂ及び第六辺４０ｅに囲まれた面を第二面３９ｂ、
第一中線４６、第二中線４６ａ、第三中線４６ｂ及び第二辺４０ａに囲まれた面を第三面３９ｃ、
第二中線４６ａ、第三中線４６ｂ、第五辺４０ｄ及び第六辺４０ｅに囲まれた面を第四面３９ｄ、
第二中線４６ａ、第三中線４６ｂ、第四中線４６ｃ、第五中線４６ｄ、第六中線４６ｅ、第二辺４０ａ及び第五辺４０ｄで囲まれた面を第五面３９ｅ、
第五中線４６ｄ、第六中線４６ｅ及び第二辺４０ａで囲まれた面を第六面３９ｆ、
第五中線４６ｄ、第六中線４６ｅ、第二辺４０ａ及び第三辺４０ｂで囲まれた面を第七面３９ｇ、
第四中線４６ｃ、第三辺４０ｂ及び第四辺４０ｃで囲まれた面を第八面３９ｈ、
第四中線４６ｃ、第五中線４６ｄ、第三辺４０ｂ及び第四辺４０ｃで囲まれた面を第九面３９ｉ、
第四中線４６ｃ、第五中線４６ｄ、第六中線４６ｅ及び第三辺４０ｂで囲まれた面を第十面３９ｊとした。
【０１２９】
図１４（Ｐ）に示すように、第十ベルト４１は、縦方向に垂直に伸びる第二辺４１ｇの下端から右方に向かって略直角に第三辺４１ｈが繋がっており、前記第三辺４１ｈの右端から前記第二辺４１ｇにやや折り返すように斜め左上に向かって第四辺４１ｉが繋がっている。前記第四辺４１ｉの上端からは垂直上方に向かって第五辺４１ｊが繋がり、更に第五辺４１ｊの上端から斜め左上に向かって第一辺４１ｆが繋がっている。前記第一辺４１ｆの上端は第二辺４１ｇの上端に繋がっている。
【０１３０】
図１４（Ｐ）に示すように、第十ベルト４１の複数の点線は各中線を示している。
第二辺４１ｇの上端近くと第一辺４１ｆの上端近くを結ぶ斜線を第一中線４７、
第二辺４１ｇの中央と第一辺４１ｆの中央付近を結び、前記第一中線４７と略平行の線を第二中線４７ａ、
第四辺４１ｉの上端と第三辺４１ｈの右端近くを結ぶ斜線を第三中線４７ｂ、
第二辺４１ｇの下端近くと第三辺４１ｈの左端近くを結ぶ斜線を第４中線４７ｃとした。
【０１３１】
尚、図１４（Ｐ）に示すように、前記各中線４７〜４７ｃにより、第十ベルト４１を複数の面に分け、名称を付した。即ち、
第一辺４１ｆ、第二辺４１ｇ及び第一中線４７で囲まれた面を第一面４１ａ、
第一辺４１ｆ、第二辺４１ｇ、第一中線４７及び第二中線４７ａで囲まれた面を第二面４１ｂ、
第一辺４１ｆ、第二辺４１ｇ、第三辺４１ｈ、第五辺４１ｊ、第二中線４７ａ、第三中線４７ｂ及び第四中線４７ｃで囲まれた面を第三面４１ｃ、
第二辺４７ｇ、第三辺４１ｈ及び第四中線４７ｃで囲まれた面を第四面４１ｄ、
第三辺４７ｈ、第四辺４１ｅ及び第三中線４７ｂで囲まれた面を第五面４１ｅとした。
【０１３２】
図１４（Ｑ）に示すように、第十一ベルト４２は、縦方向に垂直に伸びる第二辺４２ｆの下端から右方斜め下に向かう第三辺４２ｇが繋がっており、前記第三辺４２ｇの右端から右方斜め上に向かう第四辺４２ｈが繋がっている。前記第四辺４２ｈの右端から略垂直上方に向かって第五辺４２ｉが繋がり、更に第五辺４２ｉの上端から左方斜め上に向かって第一辺４２ｅが繋がっている。前記第一辺４２ｅの上端は第二辺４２ｆと繋がっている。
【０１３３】
図１４（Ｑ）に示すように、第十一ベルト４２の複数の点線は各中線を示している。
第二辺４２ｆの上端近くと第一辺４２ｅの上端近くを結ぶ斜線を第一中線４８、
第二辺４２ｆの第一中線４８開始位置やや下と第一辺４２ｅの第一中線４８位置のやや下を結び、前記第一中線４８と略平行の斜線を第二中線４８ａ、
第一辺４２ｅの右端近くと第四辺４２ｈの中央やや右側を結ぶ斜線を第三中線４８ｂとした。
【０１３４】
尚、図１４（Ｑ）に示すように、前記各中線４７〜４８ｂにより、第十一ベルト４２を複数の面に分け、名称を付した。即ち、
第一辺４２ｅ、第二辺４２ｆ及び第一中線４８で囲まれた面を第一面４２ａ、
第一辺４２ｅ、第二辺４２ｆ、第一中線４８及び第二中線４８ａで囲まれた面を第二面４２ｂ、
第一辺４２ｅ、第四辺４２ｈ、第五辺４２ｉ及び第三中線４８ｂで囲まれた面を第四面、
前記第一面４２ａ、第二面４２ｂ、第四面４２ｄ以外の面を第三面４２ｃとした。
【０１３５】
次に図７から図１４を使用して、男性用アンダーシャツ１ａにおける各布の位置関係を説明することとする。
【０１３６】
男性用アンダーシャツ１ａの前面部分は、図７、図９、図１０及び図１１に示すように、まず、前合わせ布２１を後合わせ布２２の上に重ねる。その際、前合わせ布２１の第二辺２１ｂを後合わせ布２２の中線２２ｇに合わせ、前合わせ布２１の中線２１ｇを後合わせ布２２ｂに合わせ、更に第一辺２１ａ、２２ａ同士、第四辺２１ｄ、２２ｄ同士を合わせて縫合する。このとき、前合わせ布２１の第三辺２１ｃは後合わせ布２２の第五辺２２ｅの一部と重なって縫合されており、後合わせ布２２の第三辺２２ｃは前合わせ布２１の第五辺２１ｅの一部と重ねって縫合されている。
【０１３７】
次に、中央右下布２４の第一辺２４ａを後合わせ布２２の第五辺２２ｅ及び前合わせ布２１の第三辺２１ｃに合わせて、それぞれを縫合し、同時に中央左下布２３の第一辺２３ａを前合わせ布２１の第五辺２１ｅ及び後合わせ布２２の第三辺２２ｃに合わせてそれぞれ縫合する。
【０１３８】
次に、前後合わせ布２１、２２の第四辺２１ｄ、２２ｄ、及び中央左右下布２３、２４の第二辺２３ｂ、２４ｂが集まった位置に、前記全ての辺２１ｄ、２２ｄ、２３ｂ、２４ｂに渡った状態で前下合わせ布２５を縫合する。
【０１３９】
次に、上記のように縫合されて一体となった前後合わせ布２１、２２、中央左右下布２３、２４及び前下合わせ布２５を前中央布２０に縫合する。このとき、前後合わせ布２１、２２の第一辺２１ａ、２２ａが重なった辺を前中央布２０の中線２０ｅの位置に合わせ、前中央布２０の第二辺２０ｂと後合わせ布２２の第六辺２２ｆが重なった位置及び第四辺２０ｄと前合わせ布２１の第六辺２１ｆが重なった位置のみを縫合し、中線２０ｅの位置は縫合しない。
【０１４０】
次に、前中央布２０と左右布２６、２７は、前中央布２０の第四辺２０ｄに左布２６の第三辺２６ｆ及び第四辺２６ｇを縫合し、前中央布２０の第二辺２０ｂに右布２７の第三辺２７ｆ、第四辺２７ｇを縫合して連結する。
【０１４１】
そして、前中央布２０の裏面に前中央布２０と同型同大の第五ベルト３５を重ねて縫合し、左右布２６、２７の第二面２６ｂ、２７ｂの裏面に第六ベルト３６縫合し、更に前記各第六ベルト３６の第二面２６ｂの裏面に第七ベルト３７を縫合する。従って、前中央布２０は二重となっており、左右布２６、２７の第二面２６ｂ、２７ｂは二重部分と三重部分が混在した面となっている。
【０１４２】
男性用アンダーシャツ１ａの背面部分は、図８、図１２、図１３及び図１４に示すように、まず、背面左右布３１、３３の第八辺３２ｇ、３４ｇ同士を位置を合わせて縫合し、次に背面左布３１の第七辺３２ｆを背面中央布２８の第一辺２８ｇと縫合し、背面右布３３の第七辺３４ｆを背面中央布２８の第二辺２８ｈと縫合する。
【０１４３】
次に、背面中央布２８の第三辺２８ｉと背面左右布３１、３３の第六辺３２ｅ、３４ｅで形成される湾曲辺に背面下布２９の第一辺２９ａを縫合し、更に背面下布２９の第三辺２９ｃに後下合わせ布３０を縫合する。
【０１４４】
次に、以上のように縫合された男性用アンダーシャツ１ａの背面に各ベルトを縫合する。尚、各ベルトは裏面（各布の内側）に縫合される。
【０１４５】
まず、一方の第八ベルト３８は、背面左布３１の第一面３１ａ、第二面３１ｂに第八ベルト３８の第一、第二面３８ａ、３８ｂを重ね、背面左右布３１、３３の第三面３１ｃ、３３ｃに第八ベルト３８の第三面３８ｃを重ね、背面右布３３の第四面３３ｄに第八ベルト３８の第四面３８ｄを重ね、背面右布３３の第六面に第八ベルト３８の第五、第六面３８ｅ、３８ｆを重ねた状態で縫合し、
他方の第八ベルト３８は、背面右布３３の第一、第二面３３ａ、３３ｂに第八ベルト３８の第一、第二面３８ａ、３８ｂを重ね、背面左右布３１、３３の第三面３１ｃ、３３ｃに第八ベルト３８の第三面３８ｃを重ね、背面左布３１の第四面３１ｄに第八ベルト３８の第四面３８ｄを重ね、背面左布３１の第六面に第八ベルト３８の第五、第六面３８ｅ、３８ｆを重ねた状態で縫合する。
【０１４６】
次に、一方の第九ベルト３９は、背面左布３１の第五面３１ｅに第九ベルト３９の第一面３９ａを重ね、背面左布３１の第六面３１ｆに第九ベルト３９の第二、第三面３９ｂ、３９ｃを重ね、背面左布３１の第七面３１ｇに第九ベルト３９の残りの面を重ねた状態で縫合し、
他方の第九ベルト３９は、背面右布３３の第五面３３ｅに第九ベルト３９の第一面３９ａを重ね、背面右布３３の第六面３３ｆに第九ベルト３９の第二、第三面３９ｂ、３９ｃを重ね、背面右布３３の第七面３３ｇに第九ベルト３９の残りの面を重ねた状態で縫合する。
【０１４７】
更に、前記各第九ベルト３９、３９には第十ベルト４１、４１が縫合される。即ち、第九ベルト３９の第三中線４６ｂと第十ベルト４１の第一辺４１ｆを合わせ、第九ベルト３９の第五中線４６ｄに第十ベルト４１の第三辺４１ｈを合わせた状態で縫合する。
【０１４８】
次に、一方の第十一ベルト４２は、背面左布３１の第八面３１ｈに第十一ベルト４２の第一、第二、第三面４２ａ、４２ｂ、４２ｃを重ねた状態で縫合し、
他方の第十一ベルト４２は、背面右布３２の第八面３３ｈに第十一ベルト４２の第一、第二、第三面４２ａ、４２ｂ、４２ｃを重ねた状態で縫合する。尚、各第十一ベルト４２に第四面４２ｄ、４２ｄはそれぞれ背面中央布２８の第三面２８ｃ、第六面２８ｆに重ねられ背面中央布２８に縫合される。尚、背面下布２９は同型同大の２枚の背面下布２９、２９を重ねている。
【０１４９】
最後に、上記のように縫合した男性用アンダーシャツ１ａの前面と背面を縫合する。縫合位置は、左布２６の第一辺２６ｄと背面左布３１の第一辺３２、右布２７の第一辺２７ｄと背面右布３３の第一辺３４、左布２６の第七辺２６ｊと背面左布３１の第四辺３２ｃ、右布２７の第七辺２７ｊと背面右布３３の第四辺３４ｃである。
【実施例３】
【０１５０】
図１５は本発明である補整下着における女性用パンツの正面図、図１６は女性用パンツの背面図、図１７は女性用パンツの各布を示す図、図１８は女性用パンツの各布及び各ベルトを示す図、図１９は女性用パンツの各布及び各ベルトを示す図である。
【０１５１】
図１５及び図１６に示すように、女性用パンツ１ｂは、正面股関節付近から腰下及び外腿まで、尾てい骨の周囲を除いた腰から裏腿まで、の位置に当たるように伸縮布を縫製して部分的に収縮性を高めたパンツである。
【０１５２】
図１７から図１９を使用して、女性用パンツ１ｂの各部材を説明することとする。まず図１７には、女性用パンツ１ｂの前中央布５０及び股下布５１を示した。
【０１５３】
図１７（Ａ）に示すように、前中央布５０は左右対称の略花びら型をしている。即ち、中央が下方に向けて屈曲した第一辺５０ａの両端から同型同大の弧状の辺（第二辺５０ｂ、５０ｃ）が下方に向かって伸び、前記第二辺５０ｂ、第三辺５０ｃの下端同士が前記第一辺５０ａの下方延長線上で繋がった形状をしている。尚、前中央布５０内に示した点線は中線を示しており、前記第一辺５０ａと平行する線を第一中線５０ｄ、前記第二辺５０ｂと平行する線を第二中線５０ｅ、前記第三辺５０ｃと平行する線を第三中線５０ｆとした。
【０１５４】
図１７（Ｂ）に示すように、股下布５１は、上辺が湾曲した左右対称のドアのような形状をしている。即ち、底辺にあたる第三辺５１ｃの両端に、略Ｕ字型の辺を上下反転させた状態で各端部同士を繋げた形をしている。尚、図１７（Ｂ）では、底辺を第三辺５１ｃ、前記第三辺５１ｃの両端から垂直上方に向けて真っ直ぐに伸びた辺を第二辺５１ｂ、第四辺５１ｄ、上部の大きく湾曲した辺を第一辺５１ａとした。
【０１５５】
次に、図１８に女性用パンツ１ｂの左右布５２、５３、前記左右布５２、５３に縫合する第１ベルト５７及び第二ベルト５８を示した。
【０１５６】
図１８（Ｃ）に示すように、左右布５２、５３は同型同大であり、左布５２を左右反転した形状は右布５３と等しい。
【０１５７】
前記左布５２は、上辺にあたる第一辺５２ｆの左端から略垂直下方に向けて伸び始め、左方に向かって湾曲した第二辺５２ｇが繋がり、前記第二辺５２ｇの端部から垂直下方に向けて第三辺５２ｈが繋がっている。前記第三辺５２ｈの下端からは右方に向けて湾曲してから左方に長く伸びる第四辺５２ｉが繋がり、前記第四辺５２ｉの左端から垂直下方よりもやや右寄りに傾斜した第五辺５２ｊが繋がっている。前記第五辺５２ｊの下端からは略直角右方に向かって第六辺５２ｋが蛇行しながら伸び、第六辺５２ｋの右端から略垂直上方に向かって第七辺５２ｌが伸びている。前記第七辺５２ｌの上端は前記第一辺５２ｆの右端に繋がっている。尚、前記第七辺５２ｌは上方に向かうに従って、やや左方にむけて弧を描いた辺である。
【０１５８】
上述の通り、右布５３は前記左布５２を左右反転した形状と等しい。即ち、前記右布５３は、上辺にあたる第一辺５３ｆの右端から略垂直下方に向けて伸び始め、右方に向かって湾曲した第二辺５３ｇが繋がり、前記第二辺５３ｇの端部から垂直下方に向けて第三辺５３ｈが繋がっている。前記第三辺５３ｈの下端からは左方に向けて湾曲してから右方に長く伸びる第四辺５３ｉが繋がり、前記第四辺５３ｉの右端から垂直下方よりもやや左寄りに傾斜した第五辺５３ｊが繋がっている。前記第五辺５３ｊの下端からは略直角左方に向かって第六辺５３ｋが蛇行しながら伸び、第六辺５３ｋの左端から略垂直上方に向かって第七辺５３ｌが伸びている。前記第七辺５３ｌの上端は前記第一辺５３ｆの左端に繋がっている。尚、前記第七辺５３ｌは上方に向かうに従って、やや右方にむけて弧を描いた辺である。
【０１５９】
図１８（Ｃ）に示すように、左右布５２、５３に示した点線は中線を示している。
左布５２において
第一辺５２ｆの右端付近から前記第二辺５２ｇの中央よりやや上部を結ぶ斜線を第一中線６２、
第五辺５２ｊの中央やや上部から右方に向かって水平に第七辺５２ｌまで伸びる線を第四中線６２ｃ、
前記第二辺５２ｇの中央付近から前記第四中線６２ｃの右端付近を弧状を描いて結ぶ線を第二中線６２ａ、
前記第四中線６２ｃの左端から全長の四分の一程度右方に向かった位置から略６０度程斜め右上に向かって前記第四辺５２ｉの上端と同じ高さまで伸びた線を第三中線６２ｂとし、
右布５３において、
第一辺５３ｆの左端付近から前記第二辺５３ｇの中央よりやや上部を結ぶ斜線を第一中線６３、
第五辺５３ｊの中央やや上部から左方に向かって水平に第七辺５３ｌまで伸びる線を第四中線６３ｃ、
前記第二辺５３ｇの中央付近から前記第四中線６３ｃの左端付近を弧状を描いて結ぶ線を第二中線６３ａ、
前記第四中線６３ｃの右端から全長の四分の一程度左方に向かった位置から略６０度程斜め左上に向かって前記第四辺５３ｉの上端と同じ高さまで伸びた線を第三中線６３ｂとした。
【０１６０】
尚、図１８（Ｃ）に示すように、前記各中線６２〜６２ｃにより左布５２を複数の面二分け、同じく各中線６３〜６３ｃにより右布５３を複数の面に分け、各面に名称を付した。即ち、
左布５２において、
第一辺５２ｆ、第二辺５２ｇ及び第一中線６２で囲まれた面を第一面５２ａ、
第二辺５２ｇ、第七辺５２ｌ、第一中線６２及び第二中線６２ａで囲まれた面を第二面５２ｂ、
第四辺５２ｉ、第五辺５２ｊ、第三中線６２ｂ及び第四中線６２ｃで囲まれた面を第四面５２ｄ、
第五辺５２ｊ、第六辺５２ｋ、第七辺５２ｌ、及び第四中線６２ｃで囲まれた面を第五面５２ｅ、
残りの面を第三面５２ｃとし、
右布５３において、
第一辺５３ｆ、第二辺５３ｇ及び第一中線６３で囲まれた面を第一面５３ａ、
第二辺５３ｇ、第七辺５３ｌ、第一中線６３及び第二中線６３ａで囲まれた面を第二面５３ｂ、
第四辺５３ｉ、第五辺５３ｊ、第三中線６３ｂ及び第四中線６３ｃで囲まれた面を第四面５３ｄ、
第五辺５３ｊ、第六辺５３ｋ、第七辺５３ｌ、及び第四中線６３ｃで囲まれた面を第五面５３ｅ、
残りの面を第三面５３ｃとした。
【０１６１】
尚、図１８（Ｃ）に示すように、左右布５２、５３には上下に二分する二重線が示されているが、これは粗網部６１で網目が大きくなっており、女性用パンツ１ｂを履いた際にちょうど足の付け根に位置する。この粗網部６１を設けるとで足の付け根付近の圧迫感を開放しているが、特に限定したものではなく、設けなくても構わない。
【０１６２】
図１８（Ｄ）に示すように、第一ベルト５７は、前記左右布５２、５３に縫合するベルトであり、前記左右布５２、５３の第二面５２ｂ、５３ｂと同型同大である。即ち、第一辺５７ａの左端から斜め左下に第二辺５７ｂが繋がり、前記第二辺５７ｂの下端から垂直下方に向けて第三辺５７ｃが繋がっている。前記第三辺５７ｃの下端からは斜め右下に弧を描いて長く伸びる第四辺５７ｄが繋がり、第四辺５７ｄの下端から斜め右下に短く伸びる第五辺５７ｅが繋がっている。前記第五辺５７ｅの下端からは上方に向かって第六辺５７ｆが繋がり、前記第六辺５７ｆの上端は前記第一辺５７ａの右端と繋がっている。
【０１６３】
図１８（Ｅ）に示すように、第二ベルト５８は、前記左右布５２、５３に縫合するベルトであり、前記左右布５２、５３の第四面５２ｄ、５３ｄと同型同大である。即ち、第一辺５８ａの左端から一度下方に向かってから湾曲し、左方に向けて長く伸びた第二辺５８ｂが繋がり、前記第二辺５８ｂの左端から下方に向かって第三辺５８ｃが伸びている。前記第三辺５８ｃの下端からは右方垂直方向に第四辺５８ｄが繋がっており、前記第四辺５８ｄの右端から斜め右上に向かって第五辺５８ｅが伸びている。前記第五辺５８ｅの上端は前記第一辺５８ａの右端に繋がっている。
【０１６４】
次に、図１９に女性用パンツ１ｂの後中央布５４、背面左右布５５、５６、及び前記後中央布５４と背面左右布５５、５６に縫合する第三ベルト５９を示した。
【０１６５】
図１９（Ｆ）に示すように、後中央布５４は、上辺にあたる第一辺５４ａの両端から下方に向かって同径同大で弧状の第二、第四辺５４ｅ、５４ｇが繋がり、前記第二、第四辺５４ｅ、５４ｇの下端は、中央が第一面５４ａ側に向かって膨らんだ第三辺５４ｆの両端に繋がっている。前記第二、第四辺５４ｅ、５４ｇは外方に向かって膨らんだ弧状をしている。また、後中央布５４は左右対称の形状をしている。
【０１６６】
前記後中央布５４に示した各点線は中線を示している。前記第一辺５４ｄの下に位置し、中央が第三辺５４ｆ側に屈曲した左右対称の線を第一中線６４、
前記第三辺５４ｆの上に位置する緩やかな弧状の線を第二中線６４ａとし、更に第一中線６４から上側の面を第一面５４ａ、第二中線６４ａから下側の面を第三面６４ｃ、第一中線６４と第二中線６４ａに挟まれた面を第二面５４ｂとした。
【０１６７】
図１９（Ｆ）に示すように、背面左右布５５、５６は同型同大であり、背面左布５５を左右反転した形と背面左布５６は等しい。
【０１６８】
背面左布５５は、上辺にあたる第一辺５５ｄの左端から略垂直下方にむけて第二辺５５ｅが長く伸び、前記第二辺５５ｅの下端から略直角右方に向かって第三辺５５ｆが伸びている。前記第三辺５５ｆの右端からは略垂直上方に向かって第四辺５５ｇが伸び、前記第四辺５５ｇの上端から第二辺５５ｅ側に緩やかに弧状を描いて上方に向かう第五辺５５ｈが伸びている。前記第五辺５５ｈの上端は前記第一辺５５ｄの右端に繋がっている。
【０１６９】
背面右布５６は、前記背面左布５５と同型同大であり、背面左布５５を左右反転した形と等しい。即ち、上辺にあたる第一辺５６ｄの右端から略垂直下方にむけて第二辺５６ｅが長く伸び、前記第二辺５６ｅの下端から略直角左方に向かって第三辺５６ｆが伸びている。前記第三辺５６ｆの左端からは略垂直上方に向かって第四辺５６ｇが伸び、前記第四辺５６ｇの上端から第二辺５６ｅ側に緩やかに弧状を描いて上方に向かう第五辺５６ｈが伸びている。前記第五辺５６ｈの上端は前記第一辺５６ｄの左端に繋がっている。
【０１７０】
前記背面左右布５５、５６に示した各点線は中線を示している。
背面左布５５において、
第五辺５５ｈの上端から全体の四分の一下方部分から同じく第五辺５５ｈの下端から全体四分の一上方部分を大きく第二辺５５ｅ方向に湾曲しながら結んだ線を第一中線６５、
前記第四辺５５ｇの上端から全体の三分の一下方部分から前記第三辺５５ｆの右端から全体の三分の一左方部分を緩やかな弧を描いて結んだ線を第二中線６５ａとし、
背面右布５６において、
第五辺５６ｈの上端から全体の四分の一下方部分から同じく第五辺５６ｈの下端から全体四分の一上方部分を大きく第二辺５６ｅ方向に湾曲しながら結んだ線を第一中線６５、
前記第四辺５６ｇの上端から全体の三分の一下方部分から前記第三辺５６ｆの左端から全体の三分の一右方部分を緩やかな弧を描いて結んだ線を第二中線６５ａとした。
【０１７１】
更に背面左布５５において、
前記第五辺５５ｈと第一中線５６に囲まれた面を第二面５５ｂ、
前記第四辺５５ｇ、第三辺５５ｆ及び第二中線６５ａに囲まれた面を第三面５５ｃ、
前記第二面５５ｂ及び第三面５５ｃ以外の面を第一面５５ａとし、
同じく背面右布５６において、
前記第五辺５６ｈと第一中線５６に囲まれた面を第二面５６ｂ、
前記第四辺５６ｇ、第三辺５６ｆ及び第二中線６５ａに囲まれた面を第三面５６ｃ、
前記第二面５６ｂ及び第三面５６ｃ以外の面を第一面５６ａとした。
【０１７２】
図１９（Ｇ）に示すように、第三ベルト５９は、前記背面中央布５４の第一面５４ａ及び第三面５４ｃの中央から左半分と前記背面左布５５の第一面５５ａにかけた範囲と、
前記背面中央布５４の第一面５４ａ及び第三面５４ｃの中央から右半分前記背面右布５６の第一面５６ａにかけた範囲に縫合されるベルトである。
【０１７３】
前記第三ベルト５９は、上辺にあたる第一辺５９ｅの左端から略垂直下方に向かって長く伸びた第二辺５９ｆが伸び、前記第二辺５９ｆの下端から直角右方に向かって第三辺５９ｇが伸びている。前記第三辺５９ｇの右端からは斜め右上方に向かって緩やかに湾曲した第四辺５９ｈが伸びている。前記第四辺５９ｈの上端からは略垂直上方に向かって第五辺５９ｉが伸び、前記第五辺５９ｉの上端から略直角右方に向かって第六辺５９ｊが伸びている。前記第六辺５９ｊの上端からは略垂直上方に向かって第七辺５９ｋが伸び、前記第七辺５９ｋの上端からは略直角左方に向かい、次第に上方に向かって湾曲しながら更に右方に大きく引き返す第八辺５９ｌが伸び、前記第八辺５９ｌの上端からは略垂直上方に向かって第九辺５９ｍが伸びている。前記第九辺５９ｍの上端は前記第一辺５９ｅの右端と繋がっている。
【０１７４】
尚、前記第一辺５９ｅは背面中央布５４の第一辺５４ａの半分の長さと背面左布５５の第一辺５５ｄを合わせた長さと等しく、
前記第二辺５９ｆは前記背面左布５５の第二辺５５ｅの長さと等しく、
前記第三辺５９ｇは前記背面左布５５の第三辺５５ｆの左端から第二中線６５ａが接するまでの長さと等しく、
前記第四辺５９ｈは前記背面左布５５の第二中線６５ａの長さと等しく、
前記第五辺５９ｉは前記背面左布５５の第四辺５５ｇ上端から第二中線６５ａが接するまでの長さと等しく、
前記第六辺５９ｊは前記背面中央布５４の第三辺５４ｆの半分の長さと等しく、
前記第七辺５９ｋは前記背面中央布５４の第三辺５４ｆの中央から第二中線６４ａの中央を結んだ距離と等しく、
前記第八辺５９ｌは前記背面中央布５４の第一中線６４の左半分と第二中線６４ａの左半分と背面左布５５の第一中線６５を足した長さと等しく、
前記第九辺５９ｍは前記背面中央布５４の第一辺５４ｄの中央から第一中線６４の中央を結んだ距離と等しい。
【０１７５】
尚、前記第三ベルト５９を左右反転させた場合、第三ベルト５９の各辺の長さは以下の通りとなる。即ち、
前記第一辺５９ｅは背面中央布５４の第一辺５４ａの半分の長さと背面右布５６の第一辺５６ｄを合わせた長さと等しく、
前記第二辺５９ｆは前記背面右布５６の第二辺５６ｅの長さと等しく、
前記第三辺５９ｇは前記背面右布５６の第三辺５６ｆの右端から第二中線６５ａが接するまでの長さと等しく、
前記第四辺５９ｈは前記背面右布５６の第二中線６５ａの長さと等しく、
前記第五辺５９ｉは前記背面右布５６の第四辺５６ｇ上端から第二中線６５ａが接するまでの長さと等しく、
前記第六辺５９ｊは前記背面中央布５４の第三辺５４ｆの半分の長さと等しく、
前記第七辺５９ｋは前記背面中央布５４の第三辺５４ｆの中央から第二中線６４ａの中央を結んだ距離と等しく、
前記第八辺５９ｌは前記背面中央布５４の第一中線６４の右半分と第二中線６４ａの右半分と背面右布５６の第一中線６５を足した長さと等しく、
前記第九辺５９ｍは前記背面中央布５４の第一辺５４ｄの中央から第一中線６４の中央を結んだ距離と等しい。
【０１７６】
次に図１５から図１９を使用して、女性用パンツ１ｂにおける各布の位置関係を説明する事とする。
【０１７７】
女性用パンツ１ｂの前面部分は、図１５、図１７及び図１８に示すように、まず、前中央布５０と左右布５２、５３を縫合する。このとき、前中央布５０の第二中線５０ｅと右布５３の第二辺５３ｇを位置を合わせて縫合し、前中央布５０の第三中線５０ｆと左布５２の第二辺５２ｇを位置を合わせて縫合する。更に、前記左右布５２、５３の第四辺５２ｉ、５３ｉ同士を位置を合わせて縫合する。
【０１７８】
次に、左右布５２、５３の各第四辺５２ｄ、５３ｄでできる略Ｕ字状の辺に股下布５５１の第一、第二、第四辺５１ａ、５１ｂ、５１ｄの位置を合わせて、左右布５２、５３と股下布５５を縫合する。そして、前記左右布５２、５３の第二面５２ｂ、５３ｂに前記第一ベルト５７を裏面側からそれぞれ縫合し、第四面５２ｄ、５３ｄに前記第二ベルト５８を裏面側からそれぞれ縫合する。
【０１７９】
女性用パンツ１ｂの背面部分は、図１６及び図１９に示すように、まず、背面中央布５４と背面左右布５５、５６を縫合する。このとき、背面中央布５４の第二辺５４ｅに背面左布５５の第五辺５５ｈを位置を合わせて縫合し、背面中央布５４の第四辺５４ｇに背面右布５６の第五辺５６ｈを位置を合わせて縫合する。
【０１８０】
そして、背面中央布５４の第一、第三面５４ａ、５４ｃの中央から左半分の面と背面左布５５の第一面５５ａに第三ベルト５９を重ねて縫合し、
同じく背面中央布５４の第一、第三面５４ａ、５４ｃの中央から右半分の面と背面右布５６の第一面５６ａに第三ベルト５９を反転させて重ねて縫合する。
【０１８１】
以上のように縫合した女性用パンツ１ｂの正面と背面を、まず左布５２の第七辺５２ｌと背面左布５５の第二辺５５ｅを位置を合わせて縫合し、
右布５３の第七辺５３ｌと背面右布５６の第二辺５６ｅを位置を合わせて縫合し、
更に股下布５１の第三辺５１と背面中央布５４の第三辺５４ｆを位置を合わせて縫合する。
【０１８２】
次に、左布５２の第五辺５２ｊと背面左布５５の第四辺５５ｇを位置を合わせて縫合し、右布５３の第五辺５３ｊと背面右布５６の第四辺５６ｇを位置を合わせて縫合する。
【０１８３】
最後に、前記左布５２の下部と背面左布５５の下部で形成される筒状の太腿挿通部分と、前記右布５３の下部と背面右布５６の下部で形成される筒状の太腿挿通部分にそれぞれ裾飾り６０を周面に渡って縫合する。尚、裾飾り６０の上辺の位置は左右布５２、５３の第四中線６２ｃ、６３ｃ及び背面左右布５５、５６の第三中線６５ｂの位置である。
【実施例４】
【０１８４】
図２０は本発明である補整下着における女性用アンダーシャツの正面図、図２１は女性用アンダーシャツの背面図、図２２は女性用アンダーシャツの各布及び各ベルトを示す図、図２３は女性用アンダーシャツの各布及び各ベルトを示す図である。
【０１８５】
図２０及び図２１に示すように、女性用アンダーシャツ１ｃは、鎖骨から肩を通り肩胛骨まで、胸部、腹部及び下腹部を除いた脇の下から脇腹まで、肩胛骨の周囲及び尾てい骨の周囲を除いた脇の下から腰及び裏腿まで、の位置に当たるように伸縮布を縫製して部分的に収縮性を高めたアンダーシャツである。
【０１８６】
図２２及び図２３を使用して、女性用アンダーシャツ１ｃの各部材を説明する事とする。先ず図２２には、女性用アンダーシャツ１ｃの前中央布７０、左右布７１、７２、左右胸布７３、７４、左右肩布７５、７６、胸布７７、左右下布７８、７９、前合わせ布８０、ワイヤー８６、第一ベルト８７、胸パッド８８、第二ベルト８９を示した。
【０１８７】
図２２に示すように、前中央布７０は左右対称の布である。下辺にあたる第四辺７０ｆの左端から斜め左上に向かって第三辺７０ｅが伸び、前記第三辺７０ｅの上端から斜め右上に向かい中盤から斜め左上に向かって湾曲した第二辺７０ｄが伸びている。前記第二辺７０ｄの上端からは弧を描いて斜め右上に向かう第一辺７０ｃが伸びている。
一方、前記第四辺７０ｆの右端からは斜め右上に向かって第五辺７０ｇが伸び、前記第五辺７０ｇの上端から斜め左上に向かい中盤から斜め右上に向かって湾曲した第六辺７０ｈが伸びている。前記第六辺７０ｈの上端からは弧を描いて斜め右上に向かう第七辺７０ｉが伸び、第七辺７０ｉの上端は第一辺７０ｃの上端に繋がっている。
【０１８８】
前述の通り、前中央布７０は左右対称であるため、前記第一辺７０ｃを左右反転すると第七辺７０ｉと等しく、前記第二辺７０ｄを左右反転すると第六辺７０ｈと等しく、前記第三辺７０ｅを左右反転すると第五辺７０ｇと等しくなる。また、前記第二辺７０ｄと第三辺７０ｅの接続部が左方に最も張り出した部分となり、前記第五辺７０ｇと第六辺７０ｈの接続部が右方に最も張り出した部分となる。
【０１８９】
図２２に示すように、左右布７１、７２は同型同大であり、左布７１を左右反転した形が右布７２と等しい。前記左布７１は、上辺にあたる短い第一辺７１ｃの右端から下方に向かってやや左方に弧を描いて右方に向かう第五辺７１ｇが長く伸び、前記第五辺７１ｇの下端から斜め左上に折り返すように第四辺７１ｆが伸びている。前記第四辺７１ｆの上端からは上方に向かって緩やかな略Ｓ字を描くように第三辺７１ｅが長く伸び、第三辺７１ｅの上端から斜め右上に向かって湾曲した第二辺７１ｄが伸びている。前記第二辺７１ｄの上端は前記第一辺７１ｃの左端に繋がっている。
【０１９０】
前記右布７２は、上辺にあたる短い第一辺７２ｃの左端から下方に向かってやや右方に弧を描いて左方に向かう第五辺７２ｇが長く伸び、前記第五辺７２ｇの下端から斜め右上に折り返すように第四辺７２ｆが伸びている。前記第四辺７２ｆの上端からは上方に向かって緩やかな略Ｓ字を描くように第三辺７２ｅが長く伸び、第三辺７２ｅの上端から斜め左上に向かって湾曲した第二辺７２ｄが伸びている。前記第二辺７２ｄの上端は前記第一辺７２ｃの右端に繋がっている。
【０１９１】
前記左右布７１、７２の下部に示した斜線は中線９１を示しており、前記中線９１から上部の面を第一面７１ａ、７２ａとし、中線９１から下部の面を第二面７１ｂ、７２ｂとした。
【０１９２】
図２２に示すように、左右胸布７３、７４は同型同大であり、左胸布７１を左右反転した形が右胸布７４と等しい。前記左胸布７３は、上辺にあたる第一辺７３ｃの右端から斜め右下に向かって短い第四辺７３ｆが伸びており、前記第一辺７３ｃの左端から斜め左下に向かって第一辺７３ｃよりも長い第二辺７３ｄが蛇行しながら伸びている。前記第二辺７３ｄの下端と第四辺７３ｆの下端は第三辺７３ｅで結ばれており、第三辺７３ｅは下方に向かって大きく湾曲している。
【０１９３】
前記右胸布７４は、上辺にあたる第一辺７４ｃの左端から斜め左下に向かって短い第四辺７４ｆが伸びており、前記第一辺７４ｃの右端から斜め右下に向かって第一辺７４ｃよりも長い第二辺７４ｄが蛇行しながら伸びている。前記第二辺７４ｄの下端と第四辺７４ｆの下端は第三辺７４ｅで結ばれており、第三辺７４ｅは下方に向かって大きく湾曲している。
【０１９４】
前記左右胸布７３、７４の第三辺７３ｅ、７４ｅの両端を結ぶように弧状の線は中線９２を示しており、前記中線９２から下部を第一面７３ａ、７４ａとし、中線９２から上部を第二面７３ｂ、７４ｂとした。
【０１９５】
図２２に示すように、左右肩布７５、７６は同型同大であり、前記左肩布７５を左右反転した形が右肩布７６と等しい。前記左肩布７５は、略長方形状をしており、上辺にあたる第一辺７５ａの左端から略垂直下方に向かって第二辺７５ｂが伸び、第一辺７５ａの右端から略垂直下方に向かって第四辺７５ｄが伸びている。前記第二辺７５ｂの下端と第四辺７５ｄの下端は第三辺７５ｃで結ばれている。尚、前記第二辺７５ｂは中央付近が第四辺７５ｄ側に最も近づいた緩やかな弧状をしており、前記第四辺７５ｄは中央付近が第二辺７５ｂ側に最も近づいた緩やかな弧状をしている。
【０１９６】
前記右肩布７６は、略長方形状をしており、上辺にあたる第一辺７６ａの右端から略垂直下方に向かって第二辺７６ｂが伸び、第一辺７６ａの左端から略垂直下方に向かって第四辺７６ｄが伸びている。前記第二辺７６ｂの下端と第四辺７６ｄの下端は第三辺７６ｃで結ばれている。尚、前記第二辺７６ｂは中央付近が第四辺７６ｄ側に最も近づいた緩やかな弧状をしており、前記第四辺７６ｄは中央付近が第二辺７６ｂ側に最も近づいた緩やかな弧状をしている。
【０１９７】
図２２に示すように、胸布７７は、略二等辺三角型状をしている。上辺に当たる第一辺７７ａが最も長く、装飾のため蛇行した辺となっている。残りの二つの辺である第二辺７７ｂ及び第三辺７７ｃは同じ長さである。
【０１９８】
図２２に示すように、左右下布７８、７９は同型同大であり、前記左下布７８を左右反転した形が右下布７９と等しい。前記左下布７８は、下辺にあたる第三辺７８ｃが最も短く、第三辺７８ｃの左端から右斜め上に向かって最も長い第二辺７８ｂが伸び、右端から右斜め上に向かって二番目に長い第四辺７８ｄが伸びている。前記第二辺７８ｂの上端と第四辺７８ｄの上端は第一辺７８ａで結ばれており、第一辺７８ａは第三辺７８ｃよりも長い。そのため、第二辺７８ｂと第四辺７８ｄの距離は第一辺７８ａに近づくに従い離れていく。
【０１９９】
前記右下布７９は、下辺にあたる第三辺７９ｃが最も短く、第三辺７９ｃの右端から左斜め上に向かって最も長い第二辺７９ｂが伸び、左端から左斜め上に向かって二番目に長い第四辺７９ｄが伸びている。前記第二辺７９ｂの上端と第四辺７９ｄの上端は第一辺７９ａで結ばれており、第一辺７９ａは第三辺７９ｃよりも長い。そのため、第二辺７９ｂと第四辺７９ｄの距離は第一辺７９ａに近づくに従い離れていく。
【０２００】
図２２に示すように、前下合わせ布８０は略長方形状をしており、複数のボタン８０ａを取り付けた布である。
【０２０１】
図２２に示すように、ワイヤー８６は略Ｕ字状に大きく湾曲したワイヤーである。前記ワイヤー８６の長さは、前記左右胸布７３、７４の第三辺７３ｅ、７４ｅと等しく、湾曲形状も等しい。即ちワイヤー８６を左右胸布７３、７４の第三辺７３ｅ、７４ｅに沿わせる部材である。
【０２０２】
図２２に示すように、第一ベルト８７は、前記左右布７１、７２の第一面７１ａ、７２ａと同型同大である。即ち、第一ベルト８７を左右反転させることで左右右布７１、７２の第一面７１ａ、７２ａに合わせることができる。
【０２０３】
前記第一ベルト８７は、上辺にあたる最も短い第一辺８７ａの右端から下方に向かってやや左方に弧を描いて右方に向かう第五辺８７ｅが長く伸び、第五辺８７ｅの下端から斜め左下に向かって第四辺８７ｄが伸びている。前記第四辺８７ｄの下端からは上方に向かって緩やかな略Ｓ字を描くように第三辺８７ｃが伸び、第三辺８７ｃの上端から斜め右上に向かって湾曲した第二辺８７ｂが伸びている。前記第二辺８７ｂの上端は前記第一辺８７ａの左端に繋がっている。
【０２０４】
尚、前記第一ベルト８７の第一辺８７ａは左右布７１、７２の第一辺７１ｃ、７２ｃと等しく、第二辺８７ｂは左右布７１、７２の第二辺７１ｄ、７２ｄと等しく、第三辺８７ｃは左右布７１、７２の第三辺７１ｅ、７２ｅの上端から中線９１が接する長さと等しく、第四辺８７ｄは中線９１と等しく、第五辺８７ｅは左右布７１、７２の第五辺７１ｇ、７２ｇの上端から中線９１が接する長さと等しい。
【０２０５】
図２２に示すように、胸パッド８８は前記左右胸布７３、７４の第一面７３ａ、７４ａの裏面に重ねるパッドである。即ち、胸パッド８８は略Ｕ字状に大きく湾曲した第二辺８８ｂと前記第二辺８８ｂの両端を結ぶ第一辺８８ａからなり、前記第一辺８８ａは左右胸布７３、７４の中線９２と等しく、前記第二辺８８ｂは左右胸布７３、７４の第三辺７３ｅ、７４ｅと等しい。
【０２０６】
図２２に示すように、第二ベルト８９は前記左右肩布７５、７６の裏面に縫合するベルトであり、前記左右肩布７５、７６と同型同大である。即ち、前記第二ベルト８９は、略長方形状をしており、上辺にあたる第一辺８９ａの左端から略垂直下方に向かって第二辺８９ｂが伸び、第一辺８９ａの右端から略垂直下方に向かって第四辺８９ｄが伸びている。前記第二辺８９ｂの下端と第四辺８９ｄの下端は第三辺８９ｃで結ばれている。尚、前記第二辺８９ｂは中央付近が第四辺８９ｄ側に最も近づいた緩やかな弧状をしており、前記第四辺８９ｄは中央付近が第二辺８９ｂ側に最も近づいた緩やかな弧状をしている。
【０２０７】
前記第一辺８９ａの長さは左右肩布７５、７６の第一辺７５ａ、７６ａの長さと等しく、前記第二辺８９ｂの長さは左右肩布７５、７６の第二辺７５ｂ、７６ｂの長さと等しく、前記第三辺８９ｃの長さは左右肩布７５、７６の第三辺７５ｃ、７６ｃの長さと等しく、前記第四辺８９ｄの長さは左右肩布７５、７６の第四辺７５ｄ、７６ｄの長さと等しい。
【０２０８】
次に図２３には、女性用アンダーシャツ１ｃの背面中央布８１、背面左右布８２、８３、背面下布８４、背面合わせ布８５、第三ベルト９０を示した。
【０２０９】
図２３に示すように、背面中央布８１は、左右対称で葉の一部を切り落としたような形状をしている。即ち、左辺にあたる第一辺８１ｃと右辺にあたる第三辺８１ｅは同型の弧状をしており、第一辺８１ｃを反転したものが第三辺８１ｅと等しい。
【０２１０】
前記第一辺８１ｃと第三辺８１ｅの上端同士は繋がっており、上端から下方に向かうにつれてそれぞれの辺が一度外方に向かって張り出し、更に下方に向かうにつれて内側に湾曲し、第二辺８１ｄの各端部に繋がっている。
【０２１１】
前記背面中央布８１の下部には、前記第二辺８１ｄと略平行の点線が付されており、この線は中線９３を示している。前記中線９３の上部の面を第一面８１ａとし、中線９３の下部の面を第二面８１ｂとした。
【０２１２】
図２３に示すように、背面左右布８２、８３は同型同大であり、前記背面左布８２を左右に反転した形は背面右布８３と等しい。前記背面左布８２は、上辺にあたる第一辺８２ｄの左端から下方に向かいつつ左方に向かって湾曲した第二辺８２ｅが伸びており、前記第二辺８２ｅの下端から下方に向かって長く緩やかな弧状の第三辺８２ｆが伸びている。前記第三辺８２ｆの下端からは斜め右下に向かって第四辺８２ｇが伸びており、前記第四辺８２ｇの下端から右方に向けて短い第五辺８２ｈが伸びている。前記第五辺８２ｈの右端からは上方に向かって第六辺８２ｉが伸び、この第六辺８２ｉは中央部分が前記第三辺８２ｆ側に緩やかに湾曲した辺である。前記第六辺８２ｉの上端からは垂直上方に向かって第七辺８２ｊが伸びており、第七辺８２ｊの上端から斜め左上に向かって第八辺８２ｋが伸びている。この第八辺８２ｋの上端は前記第一辺８２ｄの右端と繋がっている。
【０２１３】
前記背面右布８３は背面左布８２を左右反転した形と等しい。即ち、背面右布８３は、上辺にあたる第一辺８３ｄの右端から下方に向かいつつ右方に向かって湾曲した第二辺８３ｅが伸びており、前記第二辺８３ｅの下端から下方に向かって長く緩やかな弧状の第三辺８３ｆが伸びている。前記第三辺８３ｆの下端からは斜め左下に向かって第四辺８３ｇが伸びており、前記第四辺８３ｇの下端から左方に向けて短い第五辺８３ｈが伸びている。前記第五辺８３ｈの左端からは上方に向かって第六辺８３ｉが伸び、この第六辺８３ｉは中央部分が前記第三辺８３ｆ側に緩やかに湾曲した辺である。前記第六辺８３ｉの上端からは垂直上方に向かって第七辺８３ｊが伸びており、第七辺８３ｊの上端から斜め右上に向かって第八辺８３ｋが伸びている。この第八辺８３ｋの上端は前記第一辺８３ｄの左端と繋がっている。
【０２１４】
図２２に示すように、前記背面左右布８２、８３には点線が付されており中線を示している。即ち、第二辺８２ｅ、８３ｅの下端近くから第七辺８２ｊ、８３ｊの下端近くを結び、大きく湾曲した線を第一中線９４、
第六辺８２ｉ、８３ｉの上端から全体の４分の１程度下の位置と第六辺８２ｉ、８３ｉの下端近くを結び、中央に向かうに従って前記第三辺８２ｆ、８３ｆに向かって大きく湾曲した線を第二中線９４ａとした。
【０２１５】
そして、背面左右布８２、８３の前記第一中線９４から上部の面を第一面８２ａ、８３ａとし、第二中線９４ａと第六辺８２ｉ又は８３ｉと囲まれた面を第三面８２ｃ、８３ｃとし、残りの面を第二面８２ｂ、８３ｂとした。
【０２１６】
図２３に示すように、背面下布８４は左右対称で上辺が大きく湾曲した三味線のばちのような形状をしている。即ち、上辺にあたる第一辺８４ａは中央部分が大きく上部に向かって膨らんだ弧状をしており、前記第一辺９４の各端部から下方に向かって第二辺８４ｂと第四辺８４ｄが繋がっている。前記第二辺８４ｂと第四辺８４ｄは同型で、第二辺８４ｂを反転すると第四辺８４ｄと等しい。
【０２１７】
前記第二辺８４ｂ及び第四辺８４ｄは第一辺８４ａの両端から下方に向かう際にそれぞれ内側に湾曲して下方に向かい、第三辺８４ｃの両端に繋がっている。
【０２１８】
図２３に示すように、背面合わせ布８５は略長方形をしており、複数のボタン８５ａを備えている。背面合わせ布８５は前記前下合わせ布８０と同型同大であり、ボタン８５ａの取付数も同じである。
【０２１９】
図２２に示すように、第三ベルト９０は、前記背面左右布８２、８３の第二面８２ｂ、８３ｂに縫合するベルトであり、前記第二面８２ｂ、８３ｂとほぼ同型である。
【０２２０】
即ち、第三ベルト９０は、上辺にあたる短い第一辺９０ｃの左端から下方に向かって緩やかに湾曲した弧状の第二辺９０ａが伸び、前記第二辺９０ａの下端から右斜め下に向かって第三辺９０ｅが伸びている。前記第三辺９０ｅの下端からは右方に向かって短い第四辺９０ｆが伸び、第四辺９０ｆの右端から垂直上方に向かって短く第五辺９０ｇが伸びている。前記第五辺９０ｇの上端からは前記第二辺９０ｄに向かって大きく湾曲してから右方に引き返す第六辺９０ｈが伸びており、前記第六辺９０ｈの上端から斜め右上に向かって第七辺９０ｉが伸びている。第七辺９０ｉの上端からは垂直上方に向かって短く第八辺９０ｊが伸び、前記第八辺９０ｊの上端から斜め左上に向かって前記第二辺９０ｄの上部に近づきながら大きく湾曲した第九辺９０ｋが伸びている。前記第九辺９０ｋの上端は前記第一辺９０ｃの右端に繋がっている。
【０２２１】
前記第三ベルト９０の第二辺９０ｄの長さは背面左右布８２、８３の第三辺８２ｆ、８３ｆと等しく、第三辺９０ｅの長さは背面左右布８２、８３の第四辺８２ｇ、８３ｇと等しく、第四辺９０ｆの長さは背面左布８２の第五辺８２ｈと背面中央布８１の第二辺８１ｄの半分の長さを足した長さ及び背面右布８３の第五辺８３ｈと背面中央布８１の第二辺８１ｄの半分の長さを足した長さと等しく、第五辺９０ｇの長さは背面中央布８１の第二辺８１ｄの中央から中線９３の中央を結んだ距離と等しく、第六辺９０ｈの長さは背面左布８２の第二中線９４ａと背面中央布８１の中線９３の半分の長さを足した長さ及び背面右布８３の第二中線９４ａと背面中央布８１の中線９３の半分の長さを足した長さと等しく、第七辺９０ｉの長さは背面左右布８２、８３の第六辺８２ｉ、８３ｉの上端から第二中線９４ａの上端が接する距離と等しく、第八辺９０ｊの長さは背面左右布８２、８３の第七辺８２ｊ、８３ｊの下端から第一中線９４が接する距離と等しく、第九辺９０ｋは背面左右布８２、８３の第一中線９４と等しい。
【０２２２】
前記第三ベルト９０の第四辺９０ｆ近くに付した点線は中線９５を示しており、この中線９５と第五辺９０ｇの間を第二面９０ｂとし、残りの面を第一面９０ａとした。
【０２２３】
次に図２０から図２３を使用して、女性用アンダーシャツ１ｃにおける各布の位置関係を説明する事とする。
【０２２４】
女性用アンダーシャツ１ｃの前面部分は、図２０及び図２２に示すように、まず前中央布７０と左右下布７８、７９を縫合する。このとき前中央布７０の第三辺７０ｅに右下布７９の第二辺７９ｂを合わせて縫合し、第五辺７０ｇに左下布７８の第二辺７８ｂを合わせて縫合する。そして、前中央布７０の第四辺７０ｆと左右した布７８、７９の第三辺７８ｃ、７９ｃにかけて前下合わせ布８０の上辺を縫合する。
【０２２５】
次に、前中央布７０と左右布７１、７２を縫合する。このとき、前記前中央布７０の第六辺７０ｈから左下布７８の第一辺７８ａにかけて左布７１の第三面７１ｅを合わせて縫合し、前中央布７０の第二辺７０ｄから右下布７９の第一辺７９ａにかけて右布７２の第三辺７２ｅを合わせて縫合する。
【０２２６】
次に、前中央布７０の第一辺７０ｃと右布７２の第二辺７２ｄで形成された略Ｕ字状の辺に右胸布７４の第三辺７４ｅを合わせて縫合し、前中央布７０の第七辺７０ｉと左布７１の第二辺７１ｄで形成された略Ｕ字状の辺に左胸布７３の第三辺７３ｅを合わせて縫合し、更に、それらの縫合部分（即ち、左右胸布７３、７４の第三辺７３ｅ、７４ｅ）にワイヤー８６を縫い付ける。
【０２２７】
次に、前記左胸布７３の第一辺７３ｃに左肩布７５の第三辺７５ｃを合わせ、前記右胸布７４の第一辺７４ｃに右肩布７６の第三辺７６ｃを合わせ、それぞれ縫合する。
【０２２８】
次に前記左右布７１、７２の第一面７１ａ、７２ａの裏面に前記第一ベルト８７を重ねて縫合し、前記左右胸布７３、７４の第一面７３ａ、７４ａの裏面に胸パッド８８を重ねて縫合し、前記左右方布７５、７６の裏面に第二ベルト８９を重ねて縫合する。尚、胸布７７は前記左右胸布７３、７４の第二辺７３ｄ、７４ｄで形成された谷間に第二辺７７ｂを右胸布７４の第二辺７４ｄに合わせ、第三辺７７ｃを左胸布７３の第二辺７３ｄに合わせて縫合する。
【０２２９】
女性用アンダーシャツ１ｃの背面部分は、図２１及び図２３に示すように、まず背面左右布８２、８３を各々の第七辺８２ｊ、８３ｊを合わせて縫合し、次に前記背面左布８２の第六辺８２ｉに背面中央布８１の第一辺８１ｃを合わせて縫合し、前記背面右布８３の第六辺８３ｉに背面中央布８１の第三辺８１ｅを合わせて縫合することにより背面左右布８２、８３と背面中央布８１を縫合する。
【０２３０】
次に、背面左右布８２、８３の第五辺８２ｈ、８３ｈと背面中央布８１の第二辺８１ｄで形成される辺と背面下布８４の第一辺８４ａを合わせて縫合することにより、背面左右布８２、８３及び背面中央布８１と背面下布８４を縫合する。更に、前記背面下布８４の第三辺８４ｃに背面合わせ布８５の上辺を重ねて縫合する。
【０２３１】
そして、前記背面左布８２の第二面８２ｂから背面中央布８１の第二面８１ｂの中央から左面にかけた部分と、前記背面右布８３の第二面８３ｂから背面中央布８１の第二面８１ｂの中央から右面にかけた部分の裏面に前記第三ベルト９０をそれぞれ重ね合わせて背面左右布８２、８３に第三ベルト９０を縫合する。
【０２３２】
最後に、以上のように縫合した女性用アンダーシャツ１ｃの正面と背面を、
左布７１の第五辺７１ｇと背面左布８２の第三辺８２ｆを合わせて縫合し、右布７２の第五辺７２ｇと背面右布８３の第三辺８３ｆを合わせて縫合し、更に左肩布７５の第一辺７５ａと背面左布８２の第一辺８２ｄを合わせて縫合し、右肩布７６の第一辺７６ａと背面右布８３の第一辺８３ｄを合わせて縫合することにより繋ぎ合わせて女性用アンダーシャツ１ｃとする。
【０２３３】
以上のように、本発明である補整下着は、部分的にベルト状の収縮布を複数枚重ねて縫製したパンツと、部分的にベルト状の収縮布を複数枚重ねて縫製し、前記パンツの上から股下で着脱可能なアンダーシャツとからなることを特徴とする。
【産業上の利用可能性】
【０２３４】
本発明である補整下着は、少ない部材で体全体を補正するとともに体幹の矯正をおこなうことができ、負荷の分散により長期間に渡って使用でき経済的であるため、肥満やメタボリックシンドロームで悩む人や、それらの予備軍、更には健康のために体幹を矯正したい人と、性別を問わず、あらゆる人に多大な貢献をもたらす。
【符号の説明】
【０２３５】
１      男性用パンツ
１ａ    男性用アンダーシャツ
１ｂ    女性用パンツ
１ｃ    女性用アンダーシャツ
２      左布
２ａ    左布前面
２ｂ    左布後面
２ｃ    第一辺
２ｄ    第二辺
２ｅ    第三辺
２ｆ    第四辺
２ｇ    第五辺
２ｈ    第六辺
２ｉ    第七辺
２ｊ    第八辺
３      右布
３ａ    右布前面
３ｂ    右布後面
３ｃ    第一辺
３ｄ    第二辺
３ｅ    第三辺
３ｆ    第四辺
３ｇ    第五辺
３ｈ    第六辺
３ｉ    第七辺
３ｊ    第八辺
４      前合わせ布
４ａ    第一辺
４ｂ    第二辺
４ｃ    第三辺
４ｄ    第四辺
４ｅ    第五辺
５      後合わせ布
５ａ    第一辺
５ｂ    第二辺
５ｃ    第三辺
５ｄ    第四辺
５ｅ    第五辺
６      背面左布
６ａ    第一面
６ｂ    第二面
６ｃ    第三面
６ｄ    第一辺
６ｅ    第二辺
６ｆ    第三辺
６ｇ    第四辺
６ｈ    第五辺
６ｉ    第六辺
６ｊ    第七辺
６ｋ    第八辺
７      背面右布
７ａ    第一面
７ｂ    第二面
７ｃ    第三面
７ｄ    第一辺
７ｅ    第二辺
７ｆ    第三辺
７ｇ    第四辺
７ｈ    第五辺
７ｉ    第六辺
７ｊ    第七辺
７ｋ    第八辺
８      腰ゴム
９      腿ゴム
１０    第一ベルト
１０ａ  第一面
１０ｂ  第二面
１０ｃ  第一辺
１０ｄ  第二辺
１０ｅ  第三辺
１０ｆ  中線
１０ｇ  第四辺
１０ｈ  第五辺
１０ｉ  第六辺
１１    第二ベルト
１１ａ  第一面
１１ｂ  第二面
１１ｃ  第一辺
１１ｄ  第二辺
１１ｅ  第三辺
１１ｆ  第四辺
１１ｇ  第五辺
１１ｈ  中線
１１ｉ  第六辺
１１ｊ  第七辺
１２    第三ベルト
１２ａ  第一辺
１２ｂ  第二辺
１２ｃ  第三辺
１２ｄ  第四辺
１３    第四ベルト
１３ａ  第一辺
１３ｂ  第二辺
１３ｃ  第三辺
１３ｄ  第四辺
２０    前中央布
２０ａ  第一辺
２０ｂ  第二辺
２０ｃ  第三辺
２０ｄ  第四辺
２０ｅ  中線
２１    前合わせ布
２１ａ  第一辺
２１ｂ  第二辺
２１ｃ  第三辺
２１ｄ  第四辺
２１ｅ  第五辺
２１ｆ  第六辺
２１ｇ  中線
２２    後合わせ布
２２ａ  第一辺
２２ｂ  第二辺
２２ｃ  第三辺
２２ｄ  第四辺
２２ｅ  第五辺
２２ｆ  第六辺
２２ｇ  中線
２３    中央左下布
２３ａ  第一辺
２３ｂ  第二辺
２３ｃ  第三辺
２３ｄ  第四辺
２４    中央右下布
２４ａ  第一辺
２４ｂ  第二辺
２４ｃ  第三辺
２４ｄ  第四辺
２５    前下合わせ布
２５ａ  ボタン
２６    左布
２６ａ  第一面
２６ｂ  第二面
２６ｃ  第三面
２６ｄ  第一辺
２６ｅ  第二辺
２６ｆ  第三辺
２６ｇ  第四辺
２６ｈ  第五辺
２６ｉ  第六辺
２６ｊ  第七辺
２６ｋ  第八辺
２７    右布
２７ａ  第一面
２７ｂ  第二面
２７ｃ  第三面
２７ｄ  第一辺
２７ｅ  第二辺
２７ｆ  第三辺
２７ｇ  第四辺
２７ｈ  第五辺
２７ｉ  第六辺
２７ｊ  第七辺
２７ｋ  第八辺
２８    背面中央布
２８ａ  第一面
２８ｂ  第二面
２８ｃ  第三面
２８ｄ  第四面
２８ｅ  第五面
２８ｆ  第六面
２８ｇ  第一辺
２８ｈ  第二辺
２８ｉ  第三辺
２８ｊ  中央線
２８ｋ  第一中線
２８ｌ  第二中線
２８ｍ  第三中線
２９    背面下布
２９ａ  第一辺
２９ｂ  第二辺
２９ｃ  第三辺
２９ｄ  第四辺
３０    後下合わせ布
３０ａ  ボタン
３１    背面左布
３１ａ  第一面
３１ｂ  第二面
３１ｃ  第三面
３１ｄ  第四面
３１ｅ  第五面
３１ｆ  第六面
３１ｇ  第七面
３１ｈ  第八面
３２    第一辺
３２ａ  第二辺
３２ｂ  第三辺
３２ｃ  第四辺
３２ｄ  第五辺
３２ｅ  第六辺
３２ｆ  第七辺
３２ｇ  第八辺
３２ｈ  第九辺
３２ｉ  第十辺
３３    背面右布
３３ａ  第一面
３３ｂ  第二面
３３ｃ  第三面
３３ｄ  第四面
３３ｅ  第五面
３３ｆ  第六面
３３ｇ  第七面
３３ｈ  第八面
３４    第一辺
３４ａ  第二辺
３４ｂ  第三辺
３４ｃ  第四辺
３４ｄ  第五辺
３４ｅ  第六辺
３４ｆ  第七辺
３４ｇ  第八辺
３４ｈ  第九辺
３４ｉ  第十辺
３５    第五ベルト
３５ａ  第一辺
３５ｂ  第二辺
３５ｃ  第三辺
３５ｄ  第四辺
３６    第六ベルト
３６ａ  第一面
３６ｂ  第二面
３６ｃ  第三面
３６ｄ  第一辺
３６ｅ  第二辺
３６ｆ  第三辺
３６ｇ  第四辺
３６ｈ  第一中線
３６ｉ  第二中線
３７    第七ベルト
３７ａ  第一辺
３７ｂ  第二辺
３７ｃ  第三辺
３７ｄ  第四辺
３８    第八ベルト
３８ａ  第一面
３８ｂ  第二面
３８ｃ  第三面
３８ｄ  第四面
３８ｅ  第五面
３８ｆ  第六面
３８ｇ  第一辺
３８ｈ  第二辺
３８ｉ  第三辺
３８ｊ  第四辺
３８ｋ  第五辺
３８ｌ  第六辺
３９    第九ベルト
３９ａ  第一面
３９ｂ  第二面
３９ｃ  第三面
３９ｄ  第四面
３９ｅ  第五面
３９ｆ  第六面
３９ｇ  第七面
３９ｈ  第八面
３９ｉ  第九面
３９ｊ  第十面
４０    第一辺
４０ａ  第二辺
４０ｂ  第三辺
４０ｃ  第四辺
４０ｄ  第五辺
４０ｅ  第六辺
４１    第十ベルト
４１ａ  第一面
４１ｂ  第二面
４１ｃ  第三面
４１ｄ  第四面
４１ｅ  第五面
４１ｆ  第一辺
４１ｇ  第二辺
４１ｈ  第三辺
４１ｉ  第四辺
４１ｊ  第五辺
４２    第十一ベルト
４２ａ  第一面
４２ｂ  第二面
４２ｃ  第三面
４２ｄ  第四面
４２ｅ  第一辺
４２ｆ  第二辺
４２ｇ  第三辺
４２ｈ  第四辺
４２ｉ  第五辺
４３    第一中線
４３ａ  第二中線
４３ｂ  第三中線
４３ｃ  第四中線
４３ｄ  第五中線
４３ｅ  第六中線
４３ｆ  第七中線
４３ｇ  第八中線
４４    第一中線
４４ａ  第二中線
４４ｂ  第三中線
４４ｃ  第四中線
４４ｄ  第五中線
４４ｅ  第六中線
４４ｆ  第七中線
４４ｇ  第八中線
４５    第一中線
４５ａ  第二中線
４５ｂ  第三中線
４５ｃ  第四中線
４５ｄ  第五中線
４６    第一中線
４６ａ  第二中線
４６ｂ  第三中線
４６ｃ  第四中線
４６ｄ  第五中線
４６ｅ  第六中線
４７    第一中線
４７ａ  第二中線
４７ｂ  第三中線
４７ｃ  第四中線
４８    第一中線
４８ａ  第二中線
４８ｂ  第三中線
５０    前中央布
５０ａ  第一辺
５０ｂ  第二辺
５０ｃ  第三辺
５０ｄ  第一中線
５０ｅ  第二中線
５０ｆ  第三中線
５１    股下布
５１ａ  第一辺
５１ｂ  第二辺
５１ｃ  第三辺
５１ｄ  第四辺
５２    左布
５２ａ  第一面
５２ｂ  第二面
５２ｃ  第三面
５２ｄ  第四面
５２ｅ  第五面
５２ｆ  第一辺
５２ｇ  第二辺
５２ｈ  第三辺
５２ｉ  第四辺
５２ｊ  第五辺
５２ｋ  第六辺
５２ｌ  第七辺
５３    右布
５３ａ  第一面
５３ｂ  第二面
５３ｃ  第三面
５３ｄ  第四面
５３ｅ  第五面
５３ｆ  第一辺
５３ｇ  第二辺
５３ｈ  第三辺
５３ｉ  第四辺
５３ｊ  第五辺
５３ｋ  第六辺
５３ｌ  第七辺
５４    後中央布
５４ａ  第一面
５４ｂ  第二面
５４ｃ  第三面
５４ｄ  第一辺
５４ｅ  第二辺
５４ｆ  第三辺
５４ｇ  第四辺
５５    背面左布
５５ａ  第一面
５５ｂ  第二面
５５ｃ  第三面
５５ｄ  第一辺
５５ｅ  第二辺
５５ｆ  第三辺
５５ｇ  第四辺
５５ｈ  第五辺
５６    背面右布
５６ａ  第一面
５６ｂ  第二面
５６ｃ  第三面
５６ｄ  第一辺
５６ｅ  第二辺
５６ｆ  第三辺
５６ｇ  第四辺
５６ｈ  第五辺
５７    第一ベルト
５７ａ  第一辺
５７ｂ  第二辺
５７ｃ  第三辺
５７ｄ  第四辺
５７ｅ  第五辺
５７ｆ  第六辺
５８    第二ベルト
５８ａ  第一辺
５８ｂ  第二辺
５８ｃ  第三辺
５８ｄ  第四辺
５８ｅ  第五辺
５９    第三ベルト
５９ａ  第一面
５９ｂ  第二面
５９ｃ  第三面
５９ｄ  第四面
５９ｅ  第一辺
５９ｆ  第二辺
５９ｇ  第三辺
５９ｈ  第四辺
５９ｉ  第五辺
５９ｊ  第六辺
５９ｋ  第七辺
５９ｌ  第八辺
５９ｍ  第九辺
６０    裾飾り
６１    粗網部
６２    第一中線
６２ａ  第二中線
６２ｂ  第三中線
６２ｃ  第四中線
６３    第一中線
６３ａ  第二中線
６３ｂ  第三中線
６３ｃ  第四中線
６４    第一中線
６４ａ  第二中線
６５    第一中線
６５ａ  第二中線
６５ｂ  第三中線
７０    前中央布
７０ａ  第一面
７０ｂ  第二面
７０ｃ  第一辺
７０ｄ  第二辺
７０ｅ  第三辺
７０ｆ  第四辺
７０ｇ  第五辺
７０ｈ  第六辺
７０ｉ  第七辺
７１    左布
７１ａ  第一面
７１ｂ  第二面
７１ｃ  第一辺
７１ｄ  第二辺
７１ｅ  第三辺
７１ｆ  第四辺
７１ｇ  第五辺
７２    右布
７２ａ  第一面
７２ｂ  第二面
７２ｃ  第一辺
７２ｄ  第二辺
７２ｅ  第三辺
７２ｆ  第四辺
７２ｇ  第五辺
７３    左胸布
７３ａ  第一面
７３ｂ  第二面
７３ｃ  第一辺
７３ｄ  第二辺
７３ｅ  第三辺
７３ｆ  第四辺
７４    右胸布
７４ａ  第一面
７４ｂ  第二面
７４ｃ  第一辺
７４ｄ  第二辺
７４ｅ  第三辺
７４ｆ  第四辺
７５    左肩布
７５ａ  第一辺
７５ｂ  第二辺
７５ｃ  第三辺
７５ｄ  第四辺
７６    右肩布
７６ａ  第一辺
７６ｂ  第二辺
７６ｃ  第三辺
７６ｄ  第四辺
７７    胸布
７７ａ  第一辺
７７ｂ  第二辺
７７ｃ  第三辺
７８    左下布
７８ａ  第一辺
７８ｂ  第二辺
７８ｃ  第三辺
７８ｄ  第四辺
７９    右下布
７９ａ  第一辺
７９ｂ  第二辺
７９ｃ  第三辺
７９ｄ  第四辺
８０    前下合わせ布
８０ａ  ボタン
８１    背面中央布
８１ａ  第一面
８１ｂ  第二面
８１ｃ  第一辺
８１ｄ  第二辺
８１ｅ  第三辺
８２    背面左布
８２ａ  第一面
８２ｂ  第二面
８２ｃ  第三面
８２ｄ  第一辺
８２ｅ  第二辺
８２ｆ  第三辺
８２ｇ  第四辺
８２ｈ  第五辺
８２ｉ  第六辺
８２ｊ  第七辺
８２ｋ  第八辺
８３    背面右布
８３ａ  第一面
８３ｂ  第二面
８３ｃ  第三面
８３ｄ  第一辺
８３ｅ  第二辺
８３ｆ  第三辺
８３ｇ  第四辺
８３ｈ  第五辺
８３ｉ  第六辺
８３ｊ  第七辺
８３ｋ  第八辺
８４    背面下布
８４ａ  第一辺
８４ｂ  第二辺
８４ｃ  第三辺
８４ｄ  第四辺
８５    背面合わせ布
８５ａ  ボタン
８６    ワイヤー
８７    第一ベルト
８７ａ  第一辺
８７ｂ  第二辺
８７ｃ  第三辺
８７ｄ  第四辺
８７ｅ  第五辺
８８    胸パッド
８８ａ  第一辺
８８ｂ  第二辺
８９    第二ベルト
８９ａ  第一辺
８９ｂ  第二辺
８９ｃ  第三辺
８９ｄ  第四辺
９０    第三ベルト
９０ａ  第一面
９０ｂ  第二面
９０ｃ  第一辺
９０ｄ  第二辺
９０ｅ  第三辺
９０ｆ  第四辺
９０ｇ  第五辺
９０ｈ  第六辺
９０ｉ  第七辺
９０ｊ  第八辺
９０ｋ  第九辺
９１    中線
９２    中線
９３    中線
９４    第一中線
９４ａ  第二中線
【図１】
2011241498.tif 000003
【図２】
2011241498.tif 000004
【図３】
2011241498.tif 000005
【図４】
2011241498.tif 000006
【図５】
2011241498.tif 000007
【図６】
2011241498.tif 000008
【図７】
2011241498.tif 000009
【図８】
2011241498.tif 000010
【図９】
2011241498.tif 000011
【図１０】
2011241498.tif 000012
【図１１】
2011241498.tif 000013
【図１２】
2011241498.tif 000014
【図１３】
2011241498.tif 000015
【図１４】
2011241498.tif 000016
【図１５】
2011241498.tif 000017
【図１６】
2011241498.tif 000018
【図１７】
2011241498.tif 000019
【図１８】
2011241498.tif 000020
【図１９】
2011241498.tif 000021
【図２０】
2011241498.tif 000022
【図２１】
2011241498.tif 000023
【図２２】
2011241498.tif 000024
【図２３】
2011241498.tif 000025